(57)【特許請求の範囲】
【請求項１】
伝送方法であって、
第１のコアネットワークユーザプレーンデバイスにより、サービス品質（ＱｏＳ）フローのデータパケットと、第１のデータトンネルを介してソースアクセスネットワークデバイスからＱｏＳフローの識別子を含む第１のエンドマーカパケットとを受信するステップであって、前記第１のデータトンネルは、プロトコルデータユニット（ＰＤＵ）セッション用に確立される、ステップと、
前記第１のコアネットワークユーザプレーンデバイスによって、前記受信されたデータパケットおよび第２のエンドマーカパケットを、第２のデータトンネルを介して第２のコアネットワークユーザプレーンデバイスに送出するステップであって、前記第２のエンドマーカパケットは進化型パケットシステム（ＥＰＳ）ベアラに対応し、前記第２のデータトンネルはＥＰＳベアラに対応する、ステップと
を含む方法。
【請求項２】
前記第１のコアネットワークユーザプレーンデバイスにより、前記ＱｏＳフローと前記ＥＰＳベアラとの間の対応に基づいて前記第２のデータトンネルを決定するステップをさらに含む、請求項１に記載の方法。
【請求項３】
前記第１のエンドマーカパケットは非データパケットであり、エンドマーカは前記非データパケットの汎用パケット無線サービストンネルプロトコルユーザプレーン（ＧＴＰＵ）ヘッダに含まれる、請求項１または２に記載の方法。
【請求項４】
前記第１のコアネットワークユーザプレーンデバイスは、ユーザプレーン機能（ＵＰＦ）であり、前記第２のコアネットワークユーザプレーンデバイスは、サービングゲートウェイ（Ｓ−ＧＷ）である、請求項１ないし３のいずれか一項に記載の方法。
【請求項５】
前記第１のコアネットワークユーザプレーンデバイスにより、前記第１のエンドマーカパケットに基づいて第２のエンドマーカパケットを生成するステップをさらに含む、請求項１ないし４のいずれか一項に記載の方法。
【請求項６】
ハンドオーバー中の伝送方法であって、
ソースアクセスネットワークデバイスによって、第１のコアネットワークユーザプレーンデバイスから受信したサービス品質（ＱｏＳ）フローのデータパケットと、前記ＱｏＳフローの識別子を含む第１のエンドマーカパケットとを、第１のデータトンネルを介して前記第１のコアネットワークユーザプレーンデバイスに送出するステップであって、前記第１のエンドマーカパケットは、前記ＱｏＳフローの前記データパケットの前記第１のコアネットワークユーザプレーンデバイスへの送出の終了を示すために使用され、前記第１のデータトンネルは第１のプロトコルデータユニット（ＰＤＵ）セッションに対応する、ステップと、
前記第１のコアネットワークユーザプレーンデバイスによって、前記受信されたデータパケットおよび第２のエンドマーカパケットを、第２のデータトンネルを介して第２のコアネットワークユーザプレーンデバイスに送出するステップであって、前記第２のエンドマーカパケットは進化型パケットシステム（ＥＰＳ）ベアラに対応し、前記第２のデータトンネルはＥＰＳベアラに対応する、ステップと、
前記第２のコアネットワークユーザプレーンデバイスにより、前記第１のコアネットワークユーザプレーンデバイスから受信した前記データパケットをターゲットアクセスネットワークデバイスに送出するステップと
を含む方法。
【請求項７】
ソースアクセスネットワークデバイスと、第１のコアネットワークユーザプレーンデバイスと、第２のコアネットワークユーザプレーンデバイスとを備えた伝送システムであって、
前記ソースアクセスネットワークデバイスは、第１のデータトンネルを介して前記第１のコアネットワークユーザプレーンデバイスに第１のエンドマーカパケットを送出するように構成され、前記第１のデータトンネルはプロトコルデータユニット（ＰＤＵ）セッション用に確立され、
前記第１のコアネットワークユーザプレーンデバイスは、前記第１のエンドマーカパケットに基づいて第２のエンドマーカパケットを生成するように構成され、前記第２のエンドマーカパケットは進化型パケットシステム（ＥＰＳ）ベアラに対応し、
前記第１のコアネットワークユーザプレーンデバイスは、第２のデータトンネルを介して第２のエンドマーカパケットを第２のコアネットワークユーザプレーンデバイスに送出するように構成され、前記第２のデータトンネルはＥＰＳベアラ用に確立される、伝送システム。
【請求項８】
伝送装置であって、
受信したサービス品質（ＱｏＳ）フローのデータパケットと、ＱｏＳフローの識別子を含む第１のエンドマーカパケットとを、第１のデータトンネルを介してソースアクセスネットワークデバイスから受信するように構成された受信機であって、前記第１のデータトンネルは、プロトコルデータユニット（ＰＤＵ）セッション用に確立される、受信機と、
前記受信したデータパケットおよび第２のエンドマーカパケットを第２のデータトンネルを介して第２のコアネットワークユーザプレーンデバイスに送出するように構成された送信機であって、前記第２のエンドマーカパケットは進化型パケットシステム（ＥＰＳ）ベアラに対応し、前記第２のデータトンネルはＥＰＳベアラに対応する、送信機と
を備えた伝送装置。
【請求項９】
前記ＱｏＳフローと前記ＥＰＳベアラとの間の対応に基づいて前記第２のデータトンネルを決定するように構成されたプロセッサをさらに備えた、請求項８に記載の伝送装置。
【請求項１０】
前記第１のエンドマーカパケットは、非データパケットであり、エンドマーカは、前記非データパケットの汎用パケット無線サービストンネルプロトコルユーザプレーン（ＧＴＰＵ）ヘッダに含まれる、請求項８または９に記載の伝送装置。
【請求項１１】
前記受信機は、ユーザプレーン機能、ＵＰＦであり、前記第２のコアネットワークユーザプレーンデバイスは、サービングゲートウェイ（Ｓ−ＧＷ）である、請求項８ないし１０のいずれか一項に記載の伝送装置。
【請求項１２】
前記プロセッサは、前記第１のエンドマーカパケットに基づいて第２のエンドマーカパケットを生成するように構成された、請求項９に記載の伝送装置。
【請求項１３】
非一時的コンピュータ可読媒体であって、前記非一時的コンピュータ可読媒体に記憶されたコンピュータ可読命令を含み、前記コンピュータ可読命令は、プロセッサによって実行されると、通信デバイスに、
第１のコアネットワークユーザプレーンデバイスから受信されるサービス品質（ＱｏＳ）フローのデータパケットと、前記第１のコアネットワークユーザプレーンデバイスへの前記ＱｏＳフローの識別子を含む第１のエンドマーカパケットとを、第１のデータトンネルを介して受信し、前記第１のエンドマーカパケットは、前記ＱｏＳフローの前記データパケットの、前記第１のコアネットワークユーザプレーンデバイスに対する送出の終了を示すために使用され、前記第１のデータトンネルは第１のプロトコルデータユニット（ＰＤＵ）セッションに対応すること、および
前記受信したデータパケットおよび第２のエンドマーカパケットを第２のデータトンネルを介して第２のコアネットワークユーザプレーンデバイスに送出し、前記第２のエンドマーカパケットは進化型パケットシステム（ＥＰＳ）ベアラに対応し、前記第２のデータトンネルはＥＰＳベアラに対応すること
を実施させる非一時的コンピュータ可読媒体。
【発明の詳細な説明】
【技術分野】
【０００１】
本出願は、通信分野に関し、より詳細には、データ伝送方法およびデータ伝送装置に関する。
【背景技術】
【０００２】
ロングタームエボリューション（ＬＴＥ）通信システムでは、端末がアクセスネットワーク側で移動したとき、データを送受信するアクセスネットワークのネットワーク要素が変化し、アクセスネットワークのネットワーク要素は、ユーザプレーンデータトンネルを変更するようコアネットワークのネットワーク要素に命令し、それによりサービス継続性を確実にする。しかし、コアネットワークの変更されたユーザプレーンデータトンネルについては、古いデータトンネルを介してエンドマーカが送出されてダウンリンクデータパケットの送出の終わりが通知される。ここで、ユーザプレーンデータトンネルは、進化型パケットシステム（ＥＰＳ）ベアラに基づいて確立される。
【０００３】
しかし、次世代通信システムでは、サービス品質（ＱｏＳ）フローに基づくＱｏＳアーキテクチャが導入される。コアネットワークのネットワーク要素とアクセスネットワークのネットワーク要素との間で、データパケットトンネルがパケットデータユニット（ＰＤＵ）セッションに基づいて確立され、１つのＰＤＵセッションは１つまたは複数のＱｏＳフローを含むことがある。したがって、端末が移動しているとき、１つまたは複数のＱｏＳフローのデータトンネルが変更される必要があり得るか、またはＰＤＵセッションのデータトンネルが変更される必要があり得る。コアネットワークのネットワーク要素がどのようにエンドマーカをセットするかは、解決される必要のある問題である。
【発明の概要】
【０００４】
本出願は、データパケットの順序の乱れを回避するための伝送方法およびデータ伝送装置を提供する。
【０００５】
第１の態様によれば、伝送方法が提供され、この方法は、ソースアクセスネットワークデバイスが、ソースアクセスネットワークデバイス中の第１のパケットデータコンバージェンスプロトコル（ＰＤＣＰ）エンティティ中のデータパケットの第１の部分を、ソースアクセスネットワークデバイスとターゲットアクセスネットワークデバイスの第２のＰＤＣＰエンティティとの間のデータトンネルを使用してターゲットアクセスネットワークデバイスに送出することを含み、データパケットの第１の部分は、第１のプロトコルデータユニット（ＰＤＵ）セッション中の第１のサービス品質（ＱｏＳ）フローのデータパケットであり、第１のＰＤＵセッションは少なくとも１つのＱｏＳフローを含み、少なくとも１つのＱｏＳフローは少なくとも１つのＰＤＣＰエンティティと１対１で対応し、少なくとも１つのＱｏＳフローは第１のＱｏＳフローを含み、少なくとも１つのＰＤＣＰエンティティは第１のＰＤＣＰエンティティを含み、第１のＰＤＣＰエンティティは第１のＱｏＳフローに対応し、第１のＱｏＳフローは少なくとも１つのＱｏＳフローのいずれか１つである。この方法はまた、ソースアクセスネットワークデバイスが第１の指示情報をターゲットアクセスネットワークデバイスに送出することを含み、第１の指示情報は、第１のＰＤＣＰエンティティ中のデータパケットの第１の部分すべてが送出されたことを示すのに使用される。
【０００６】
任意選択で、第１の指示情報は、データパケットの第１の部分中のすべてのデータパケットによって搬送されるＰＤＣＰシーケンス番号のうちで最大のＰＤＣＰシーケンス番号を含むか、または、第１の指示情報は、次に割り当てられることになるＰＤＣＰシーケンス番号を含むか、または、第１の指示情報は、第１のＰＤＣＰエンティティによって生成されたエンドマーカパケットである。
【０００７】
任意選択で、ソースアクセスネットワークデバイスが第１のＰＤＣＰエンティティ中のデータパケットの第１の部分をターゲットアクセスネットワークデバイスに送出する前に、この方法は、ソースアクセスネットワークデバイス中の第１のサービスデータアダプテーションプロトコル（ＳＤＡＰ）エンティティが第１のＱｏＳフローのデータパケットを第１のＰＤＣＰエンティティに送出することを停止することを、ソースアクセスネットワークデバイスが決定することをさらに含み、第１のＳＤＡＰエンティティによって第１のＰＤＣＰエンティティに送出される第１のＱｏＳフローのデータパケットは、データパケットの第１の部分であり、第１のＳＤＡＰエンティティは第１のＰＤＵセッションに対応する。
【０００８】
任意選択で、第２の指示情報が、コアネットワークユーザプレーンデバイスから受信されたエンドマーカパケットに基づいて第１のＳＤＡＰエンティティによって送出される。
【０００９】
第２の態様によれば、伝送方法が提供され、この方法は、ターゲットアクセスネットワークデバイスが、ターゲットアクセスネットワークデバイスの第２のＰＤＣＰエンティティとソースアクセスネットワークデバイスの第１のＰＤＣＰエンティティとの間のデータトンネルを使用して、第１のＰＤＣＰエンティティによって送出されたデータパケットの第１の部分を受信することを含み、データパケットの第１の部分は、第１のプロトコルデータユニットＰＤＵセッション中の第１のサービス品質ＱｏＳフローのデータパケットであり、第１のＰＤＵセッションは少なくとも１つのＱｏＳフローを含み、少なくとも１つのＱｏＳフローは少なくとも１つのＰＤＣＰエンティティと１対１で対応し、少なくとも１つのＱｏＳフローは第１のＱｏＳフローを含み、少なくとも１つのＰＤＣＰエンティティは第１のＰＤＣＰエンティティを含み、第１のＰＤＣＰエンティティは第１のＱｏＳフローに対応し、第２のＰＤＣＰエンティティは第１のＱｏＳフローに対応し、第１のＱｏＳフローは少なくとも１つのＱｏＳフローのいずれか１つである。この方法はまた、ターゲットアクセスネットワークデバイスが、ソースアクセスネットワークデバイスによって送出された第１の指示情報を受信することを含み、第１の指示情報は、データパケットの第１の部分すべてを第１のＰＤＣＰエンティティが送出したことを示すのに使用される。
【００１０】
任意選択で、この方法は、データパケットの第１の部分中のすべてのデータパケットが端末に送出されたことを第１の指示情報に基づいて決定した後で、ターゲットアクセスネットワークデバイスが、ターゲットアクセスネットワークデバイスの第２のＳＤＡＰエンティティから受信されたデータパケットを端末に送出することをさらに含む。
【００１１】
任意選択で、第１の指示情報は、データパケットの第１の部分中のすべてのデータパケットによって搬送されるＰＤＣＰシーケンス番号のうちで最大のＰＤＣＰシーケンス番号を含むか、または、第１の指示情報は、次に割り当てられることになるＰＤＣＰシーケンス番号を含むか、または、第１の指示情報は、第１のＰＤＣＰエンティティによって生成されたエンドマーカパケットである。
【００１２】
第３の態様によれば、伝送方法が提供され、この方法は、端末がもはや第１のＰＤＵセッション中の少なくとも１つのサービス品質ＱｏＳフローのデータパケットをソースアクセスネットワークデバイスに送出しないと決定された場合に、ソースアクセスネットワークデバイスがトリガ情報を生成すること、および、ソースアクセスネットワークデバイスがトリガ情報をターゲットアクセスネットワークデバイスに送出することを含み、トリガ情報は、少なくとも１つのＱｏＳフローのデータパケットであって端末によってターゲットアクセスネットワークデバイスに送出されたデータパケットをコアネットワークユーザプレーンデバイスに送出するよう、ターゲットアクセスネットワークデバイスに命令するために使用される。トリガ情報は、少なくとも１つのＱｏＳフローの識別と第１のＰＤＵセッションの識別とを含むか、または、トリガ情報は、少なくとも１つのＱｏＳフローの識別と第１のデータ無線ベアラ（ＤＲＢ）の識別とを含み、第１のＤＲＢは少なくとも１つのＱｏＳフローに対応する。
【００１３】
第４の態様によれば、伝送方法が提供され、この方法は、ターゲットアクセスネットワークデバイスが、ソースアクセスネットワークデバイスによって送出されたトリガ情報を受信することを含み、トリガ情報は、第１のＰＤＵセッション中の少なくとも１つのサービス品質ＱｏＳフローのデータパケットであって端末によってターゲットアクセスネットワークデバイスに送出されたデータパケットをコアネットワークユーザプレーンデバイスに送出するよう、ターゲットアクセスネットワークデバイスに命令するために使用される。トリガ情報は、少なくとも１つのＱｏＳフローの識別と第１のＰＤＵセッションの識別とを含むか、または、トリガ情報は、少なくとも１つのＱｏＳフローの識別と第１のデータ無線ベアラＤＲＢの識別とを含み、第１のＤＲＢは少なくとも１つのＱｏＳフローに対応する。この方法はまた、ターゲットアクセスネットワークデバイスが、少なくとも１つのＱｏＳフローのデータパケットであって端末によってターゲットアクセスネットワークデバイスに送出されたデータパケットを、トリガ情報に基づいてコアネットワークユーザプレーンデバイスに送出することを含む。
【００１４】
任意選択で、トリガ情報はエンドマーカパケットであるか、または、トリガ情報はアクセスネットワークデバイス間のメッセージである。
【００１５】
第５の態様によれば、伝送方法が提供され、この方法は、第１のＰＤＵセッション中の少なくとも１つのサービス品質ＱｏＳフローのデータパケットであってソースアクセスネットワークデバイスによって送出されたデータパケットを端末が受け取ったとソースアクセスネットワークデバイスが決定した場合に、ソースアクセスネットワークデバイスがトリガ情報を生成すること、および、ソースアクセスネットワークデバイスがトリガ情報をターゲットアクセスネットワークデバイスに送出することを含み、トリガ情報は、少なくとも１つのＱｏＳフローのデータパケットであってターゲットアクセスネットワークデバイスによってコアネットワークユーザプレーンデバイスから受信されたデータパケットを端末に送出することを開始するよう、ターゲットアクセスネットワークデバイスに命令するために使用される。トリガ情報は、少なくとも１つのＱｏＳフローの識別と第１のＰＤＵセッションの識別とを含むか、または、トリガ情報は、少なくとも１つのＱｏＳフローの識別と第１のデータ無線ベアラＤＲＢの識別とを含み、第１のＤＲＢは少なくとも１つのＱｏＳフローに対応する。
【００１６】
第６の態様によれば、伝送方法が提供され、この方法は、ターゲットアクセスネットワークデバイスが、ソースアクセスネットワークデバイスによって送出されたトリガ情報を受信することを含み、トリガ情報は、第１のＰＤＵセッション中の少なくとも１つのサービス品質ＱｏＳフローのデータパケットであってターゲットアクセスネットワークデバイスによってコアネットワークユーザプレーンデバイスから受信されたデータパケットを端末に送出することを開始するよう、ターゲットアクセスネットワークデバイスに命令するために使用される。トリガ情報は、少なくとも１つのＱｏＳフローの識別と第１のＰＤＵセッションの識別とを含むか、または、トリガ情報は、少なくとも１つのＱｏＳフローの識別と第１のデータ無線ベアラＤＲＢの識別とを含み、第１のＤＲＢは少なくとも１つのＱｏＳフローに対応する。この方法はまた、ターゲットアクセスネットワークデバイスが、少なくとも１つのＱｏＳフローのデータパケットであってコアネットワークユーザプレーンデバイスから受信されたデータパケットを、トリガ情報に基づいて端末に送出することを含む。
【００１７】
任意選択で、トリガ情報はエンドマーカパケットであるか、または、トリガ情報はアクセスネットワークデバイス間の制御プレーンメッセージである。
【００１８】
第７の態様によれば、データ伝送装置が提供される。この装置は、第１から第６の態様およびその実装のいずれか１つによる伝送方法のステップを実施するためのユニットを備える。
【００１９】
ある設計では、データ伝送装置は通信チップであり、通信チップは、情報またはデータを送出するための入力回路またはインターフェイスと、情報またはデータを受信するための出力回路またはインターフェイスとを備えてよい。
【００２０】
別の設計では、データ伝送装置は通信デバイスであり、通信チップは、情報またはデータを送出するための送信機と、情報またはデータを受信するための受信機とを備えてよい。
【００２１】
第８の態様によれば、通信デバイスが提供される。このデバイスはプロセッサとメモリとを備え、メモリはコンピュータプログラムを記憶するように構成され、プロセッサは、コンピュータプログラムをメモリから呼び出してコンピュータプログラムを実行するように構成され、したがって、通信装置は、第１から第６の態様およびその可能な実装のいずれか１つによる伝送方法を実施する。
【００２２】
任意選択で、１つまたは複数のプロセッサと、１つまたは複数のメモリとがある。
【００２３】
任意選択で、メモリはプロセッサと統合されてよく、または、メモリはプロセッサとは別個である。
【００２４】
任意選択で、通信デバイスは、送信機と受信機とをさらに備える。
【００２５】
第９の態様によれば、コンピュータプログラム製品が提供される。このコンピュータプログラム製品はコンピュータプログラム（コードまたは命令と呼ばれることもまたある）を備え、コンピュータプログラムが稼働するとき、コンピュータが、第１から第６の態様の可能な実装のいずれか１つによる方法を実施する。
【００２６】
第１０の態様によれば、コンピュータ可読媒体が提供される。このコンピュータ可読媒体はコンピュータプログラム（コードまたは命令と呼ばれることもまたある）を備え、コンピュータプログラムがコンピュータ上で稼働するとき、コンピュータは、第１および第２の態様の可能な実装のいずれか１つによる方法を実施する。
【００２７】
第１１の態様によれば、チップシステムが提供される。このチップシステムはメモリとプロセッサとを備え、メモリはコンピュータプログラムを記憶するように構成され、プロセッサは、コンピュータプログラムをメモリから呼び出してコンピュータプログラムを実行するように構成され、したがって、このチップシステムが備わる通信デバイスは、第１から第６の態様の可能な実装のいずれか１つによる方法を実施する。
【図面の簡単な説明】
【００２８】
【図１】本出願の一実施形態による通信システムの概略アーキテクチャ図である。
【図２】本出願の一実施形態による伝送方法の概略フローチャートである。
【図３】本出願の一実施形態による伝送方法の概略フローチャートである。
【図４】本出願の一実施形態による伝送方法の概略フローチャートである。
【図５】本出願の一実施形態による伝送方法の概略フローチャートである。
【図６】本出願の一実施形態による伝送方法の概略フローチャートである。
【図７】本出願の一実施形態による伝送方法の概略フローチャートである。
【図８】本出願の一実施形態による伝送方法の概略フローチャートである。
【図９】本出願の一実施形態による伝送方法の概略フローチャートである。
【図１０】本出願の一実施形態による伝送方法の概略フローチャートである。
【図１１】本出願の一実施形態による伝送方法の概略フローチャートである。
【図１２】本出願の一実施形態による伝送方法の概略フローチャートである。
【図１３】本出願の一実施形態による伝送方法の概略フローチャートである。
【図１４】本出願の一実施形態による伝送方法の概略フローチャートである。
【図１５】本出願の一実施形態による伝送方法の概略フローチャートである。
【図１６】本出願の一実施形態による伝送方法の概略フローチャートである。
【図１７】本出願の一実施形態によるデータ伝送装置の概略図である。
【図１８】本出願による端末デバイスの概略構造図である。
【図１９】本出願の一実施形態によるデータ伝送装置の概略図である。
【図２０】本出願の一実施形態によるネットワークデバイスの概略構造図である。
【発明を実施するための形態】
【００２９】
次世代通信システムでは、サービス品質フロー（ＱｏＳ  ｆｌｏｗ）に基づくアーキテクチャが提案され、このアーキテクチャは、保証ビットレート（ＧＢＲ）ＱｏＳフローおよび非保証ビットレート（ｎｏｎ−ＧＢＲ）ＱｏＳフローをサポートする。
【００３０】
図１を参照すると、図１は、５ＧにおけるＱｏＳアーキテクチャを示す。図１に示されるように、各端末に対して、基地局が、端末の各ＰＤＵセッションにつき１つまたは複数のデータ無線ベアラ（ＤＲＢ）を確立する。基地局は、異なるＰＤＵセッションのデータパケットを、異なるＤＲＢにマッピングする。ＱｏＳフローは、ＰＤＵセッションについての、最も細かい粒度のＱｏＳ差別化である。ＰＤＵセッションは、パケットデータユニットコネクティビティサービスを提供するための、端末と外部データネットワークとの間の接続である。各ＰＤＵセッションは一意の識別を有し、ＰＤＵセッションの一意の識別はＰＤＵセッション識別であってよい。ＱｏＳフローはデータパケットのセットであり、同じＱｏＳフローのデータパケットは同じＱｏＳ特性を有し、３ＧＰＰネットワーク中では、これらのデータパケットには同じパケット転送および処理が実施される。
【００３１】
５Ｇでは、エアインターフェイス上のパケット処理メカニズムがＤＲＢに基づいて定義される。同じＤＲＢによってサービスされるパケットは、エアインターフェイス上で同じパケット処理メカニズムを有する。基地局は、ＱｏＳフローの種々のパケット処理要件を満たすように、複数のＤＲＢを確立することができる。
【００３２】
例えば、ダウンリンクの場合、基地局は、ＮＧ−Ｕ（すなわちＮ３インターフェイス）上で、ＱＦＩ識別および対応するＱｏＳプロファイルとに基づいて、ＱｏＳフローのダウンリンクデータパケットをＤＲＢにマッピングする。アップリンクの場合、ＵＥは、ＱｏＳフローからＤＲＢへの、基地局によって構成されるマッピングまたは反射マッピングに基づいて、ＱｏＳフローのアップリンクデータパケットをＤＲＢにマッピングする。
【００３３】
本出願の実施形態の技術的解決策は、グローバルシステムフォーモバイルコミュニケーションズ（ＧＳＭ）システム、符号分割多元接続（ＣＤＭＡ）システム、ワイドバンド符号分割多元接続（ＷＣＤＭＡ）システム、汎用パケット無線サービス（ＧＰＲＳ）、ロングタームエボリューション（ＬＴＥ）システム、ＥＬＴ周波数分割複信（ＦＤＤ）システム、ＬＴＥ時分割複信（ＴＤＤ）システム、ユニバーサルモバイルテレコミュニケーションズシステム（ＵＭＴＳ）、ワールドワイドインターオペラビリティフォーマイクロウェーブアクセス（ＷｉＭａｘ）通信システム、将来の第５世代（５Ｇ）システム、および新無線（ＮＲ）システムなど、さまざまな通信システムに適用され得る。
【００３４】
本出願の実施形態における端末は、ユーザ機器、アクセス端末、加入者ユニット、加入者局、モバイルサイト、移動局、リモート局、リモート端末、モバイルデバイス、ユーザ端末、端末デバイス、ワイヤレス通信デバイス、ユーザエージェント、またはユーザ装置であってよい。端末デバイスは、代替として、セルラー電話機、コードレス電話機、セッション開始プロトコル（ＳＩＰ）電話機、ワイヤレスローカルループ（ＷＬＬ）局、パーソナルディジタルアシスタント（ＰＤＡ）、ワイヤレス通信機能を有するハンドヘルドデバイス、コンピューティングデバイス、ワイヤレスモデムに接続された別の処理デバイス、車載デバイス、装着型デバイス、将来の５Ｇネットワーク中の端末デバイス、将来の進化型公衆陸上モバイルネットワーク（ＰＬＭＮ）中の端末デバイスなどであってもよい。これは本出願の実施形態において限定されない。
【００３５】
本出願の実施形態におけるアクセスネットワークデバイスまたは基地局は、端末と通信するためのデバイスであってよい。ネットワークデバイスは、グローバルシステムフォーモバイルコミュニケーションズ（ＧＳＭ）システムもしくは符号分割多元接続（ＣＤＭＡ）システム中のベーストランシーバステーション（ＢＴＳ）であってよく、または、ワイドバンド符号分割多元接続（ＷＣＤＭＡ）システム中のＮｏｄｅＢ（ＮＢ）であってよく、または、ＬＴＥシステム中の進化型ＮｏｄｅＢ（ｅＮＢもしくはｅＮｏｄｅＢ）であってよく、または、クラウド無線アクセスネットワーク（ＣＲＡＮ）シナリオにおける無線コントローラであってよい。代替として、ネットワークデバイスは、中継局、アクセスポイント、車載デバイス、装着型デバイス、将来の５Ｇネットワーク中のネットワークデバイス、将来の進化型ＰＬＭＮ中のネットワークデバイスなどであってもよい。これは本出願の実施形態において限定されない。
【００３６】
本出願の実施形態におけるコアネットワークデバイスは、コアネットワーク制御プレーンデバイスおよびコアネットワークユーザプレーンデバイスを含む。
【００３７】
次世代無線アクセスネットワーク（ＮＧ−ＲＡＮ）は、ｇＮＢおよび／または進化型ｅＮＢを含む。ｇＮＢは、端末において終端するＮＲ制御プレーンおよびユーザプレーンプロトコルスタックを提供する。進化型ｅＮＢは、５Ｇコアネットワークに接続された進化型ＬＴＥ基地局である。本出願の記述において、ｇＮＢおよび進化型ｅＮＢは、基地局と総称されることがある。
【００３８】
ｇＮＢは、以下の機能、すなわち、アクセス制御、接続モビリティ管理、無線ベアラ制御、測定構成、動的リソース割振りなど、のうちの少なくとも１つを提供する。
【００３９】
アクセスおよびモビリティ管理機能（ＡＭＦ）が、以下の機能、すなわち、非アクセス層（ＮＡＳ）セキュリティ管理、アクセス層（ＡＳ）セキュリティ制御、モビリティ管理、端末アクセス検証、登録エリア管理、スライスサポート、セッション管理機能（ＳＭＦ）選択など、のうちの少なくとも１つを提供する。
【００４０】
ユーザプレーン機能（ＵＰＦ）が、以下の機能、すなわち、アンカーハンドオーバ、データパケットルーティングおよび転送、ＱｏＳ管理など、のうちの少なくとも１つの機能を提供する。
【００４１】
ＳＭＦは、以下の機能、すなわち、セッション管理、端末ＩＰアドレス割振りおよび管理、ＵＰＦ選択および制御など、のうちの少なくとも１つを提供する。
【００４２】
次世代コアネットワーク制御プレーンデバイスは、ＡＭＦおよびＳＭＦを含むが、これらに限定されない。次世代コアネットワークユーザプレーンデバイスは、ＵＰＦを含むが、これに限定されない。
【００４３】
ＡＭＦとＮＧ−ＲＡＮとの間のインターフェイスは、Ｎ２インターフェイスとして定義され、ＵＰＦとＮＧ−ＲＡＮとの間のインターフェイスは、Ｎ３インターフェイスとして定義される。ｇＮＢ間のインターフェイスは、Ｘｎインターフェイスとして定義される。
【００４４】
本出願の実施形態における送出開始情報とトリガ情報は、相互に交換可能である。ＳＮはセカンダリ基地局であってよく、ＭＮはマスタ基地局であってよい。
【００４５】
以下の記述において、アクセスネットワークデバイスと基地局は、相互に交換可能である。
【００４６】
図２は、本出願による伝送方法の概略フローチャートである。図２に示される方法は、端末の第１のＰＤＵセッション中の少なくとも１つのＱｏＳフロー（ＱｏＳフロー＃１として表される）がターゲット基地局に転送されるプロセスに、適用され得る。例えば、デュアルコネクティビティシナリオにおいて、端末の第１のＰＤＵセッション中のＱｏＳフロー＃１がターゲット基地局（マスタ基地局またはセカンダリ基地局）に転送され、第１のＰＤＵセッション中の他のＱｏＳフローはソース基地局（セカンダリ基地局またはマスタ基地局）に留まる。以下、本出願のこの実施形態における伝送方法が、図２に関して詳細に記述される。
【００４７】
Ｓ２１０  第１の基地局が、第１の要求メッセージをコアネットワークデバイスに送出する。
【００４８】
第１の要求メッセージは、第１のＰＤＵセッションの識別と、ＱｏＳフロー＃１の識別とを含む。第１の要求メッセージは、ＱｏＳフロー＃１のユーザプレーンルートを第２の基地局に変更するよう要求するために使用される。
【００４９】
第１の基地局は、デュアルコネクティビティシナリオにおけるマスタ基地局であってよいことを理解されたい。マスタ基地局がソース基地局であるときは、セカンダリ基地局が第２の基地局である。すなわち、第１の基地局と第２の基地局は、異なる基地局である。マスタ基地局がターゲット基地局であるときは、マスタ基地局が第２の基地局である。すなわち、第１の基地局と第２の基地局は、同じ基地局である。
【００５０】
さらに、コアネットワークデバイスは、コアネットワークユーザプレーンデバイスの機能およびコアネットワーク制御プレーンデバイスの機能と互換性のあるデバイスであることも理解されたい。
【００５１】
任意選択で、第１の要求メッセージは、経路切替え要求メッセージであってよい。これは従来技術との互換性をより有することがある。
【００５２】
Ｓ２２０  コアネットワークデバイスが、第１の要求メッセージに基づいてエンドマーカパケットを送出する。
【００５３】
具体的には、ＱｏＳフロー＃１のユーザプレーンルートを第２の基地局に変更することにコアネットワークユーザプレーンが同意した場合、エンドマーカパケットが第２の基地局に送出される。エンドマーカパケットは、ＱｏＳフロー＃１の識別を含む。エンドマーカパケットは、コアネットワークデバイスがＱｏＳフロー＃１のデータパケットを第１のＰＤＵセッションのソースデータトンネル中で送出することを停止することを示す。言い換えれば、エンドマーカパケットは、コアネットワークユーザプレーンがもはやＱｏＳフロー＃１のデータパケットをソースデータトンネル中で送出しないことを示す。
【００５４】
エンドマーカパケットは、空のデータパケットであってよい。加えて、空のデータパケットのカプセル化ヘッダが、エンドマーカを搬送してもよい。例えば、エンドマーカは、汎用パケット無線サービストンネリングプロトコルユーザプレーン（ＧＴＰＵ）ヘッダまたは拡張ヘッダ中で搬送されてよい。空のデータパケットのカプセル化ヘッダは、ＱｏＳフロー＃１の識別を搬送してよい。
【００５５】
さらに、コアネットワークデバイスは、ソース基地局によってエンドマーカパケットが正しく受信される成功率を上げるために、複数のエンドマーカパケットを送ってもよい。
【００５６】
第１の基地局がＱｏＳフロー＃１のソース基地局である場合は、ステップＳ２２０は具体的には、コアネットワークデバイスが第１の要求メッセージに基づいてエンドマーカパケットを第１の基地局に送出することになることに留意されたい。第１の基地局がＱｏＳフロー＃１のターゲット基地局である場合は、第１の基地局と第２の基地局は同じ基地局であり、ステップＳ２２０は具体的には、コアネットワークデバイスが第１の要求メッセージに基づいてエンドマーカパケットを第２の基地局または第１の基地局に送出することになる。
【００５７】
本出願のこの実施形態における伝送方法によれば、コアネットワークデバイスは、アクセスネットワークデバイスによって送出された第１の要求メッセージに基づいてエンドマーカパケットを送って、ソースデータトンネル中でのＱｏＳフローのダウンリンク送信をコアネットワークユーザプレーンデバイスが終了することをアクセスネットワークデバイスに対して示す。このようにして、ＱｏＳフローのレベルまたは粒度でダウンリンク送信の切替えが実装されることが可能であり、それにより、システムフレキシビリティが改善されることが可能である。
【００５８】
図３は、本出願による別の伝送方法の概略フローチャートである。図３に示される方法は、端末の第１のＰＤＵセッション中の少なくとも１つのＱｏＳフロー（ＱｏＳフロー＃１として表される）またはすべてのＱｏＳフローがターゲット基地局に転送されるプロセスに、適用され得る。例えば、切替えの間、端末の第１のＰＤＵセッション中のすべてのＱｏＳフローが、ターゲット基地局に転送される。または、第１のＰＤＵセッション中のすべてのＱｏＳフローがターゲット基地局に転送されることになるが、ＱｏＳフロー＃１のみがターゲット基地局にうまく受け入れられる。別の例として、デュアルコネクティビティシナリオにおいて、端末の第１のＰＤＵセッション中のＱｏＳフロー＃１はターゲット基地局（マスタ基地局またはセカンダリ基地局）に転送され、第１のＰＤＵセッション中の他のＱｏＳフローはソース基地局（セカンダリ基地局またはセカンダリ基地局）に留まる。
【００５９】
以下、本出願のこの実施形態における伝送方法が、図３に関して詳細に記述される。
【００６０】
Ｓ３０１  アクセスネットワークデバイスが、要求メッセージ＃１をコアネットワーク制御プレーンデバイスに送出する。要求メッセージ＃１は、第１のＰＤＵセッションの識別を含む。
【００６１】
任意選択で、ルート変更要求メッセージはさらに、ＱｏＳフロー＃１の識別を含んでもよい。
【００６２】
具体的には、アクセスネットワークデバイスは、ソース基地局であってよく、またはターゲット基地局であってよい。ルート変更要求メッセージ＃１がソース基地局によって送られるときは、要求メッセージ＃１はさらに、ＱｏＳフロー＃１の識別も含む。要求メッセージ＃１は、第１のＰＤＵセッション中のＱｏＳフロー＃１のユーザプレーンルートをターゲット基地局に変更するよう要求するのに使用される。本明細書におけるソース基地局は、デュアルコネクティビティシナリオではマスタ基地局またはセカンダリ基地局であることを理解されたい。それに対応して、本明細書におけるターゲット基地局は、デュアルコネクティビティシナリオではセカンダリ基地局またはマスタ基地局である。要求メッセージ＃１がターゲット基地局によって送られるときは、要求メッセージ＃１が第１のＰＤＵセッションの識別のみを含む場合は、ルート変更要求メッセージは、第１のＰＤＵセッションのデータトンネルをターゲット基地局の方に切り替えるよう要求するのに使用される。
【００６３】
さらに、要求メッセージ＃１は、独立した標識情報（標識情報＃１Ａとして表される）をさらに含んでもよい。標識情報＃１Ａは、第１のＰＤＵセッションのデータトンネルが切り替えられるのか、それともＱｏＳフロー＃１のルートが変更されるのかを示すのに使用される。
【００６４】
本出願に記述されるすべての実施形態において、第１のＰＤＵセッションのデータトンネルを切り替えることは、コアネットワークユーザプレーンデバイスとソース基地局との間の第１のＰＤＵセッションに対応するデータトンネルが、データトンネル切替えの完了後はもはや使用されないことを意味することを理解されたい。データトンネル切替えの完了後は、コアネットワークユーザプレーンデバイスおよび端末は、第１のＰＤＵセッションに対応する、コアネットワークユーザプレーンデバイスとターゲット基地局との間のデータトンネルを、データ送信に使用する。ＱｏＳフロー＃１のユーザプレーンルートを変更することは、ルート変更されるＱｏＳフロー＃１が、ＱｏＳフロー＃１に対応する、コアネットワークユーザプレーンデバイスとターゲット基地局との間のデータトンネルを介して送信されること、および、第１のＰＤＵセッション中のルート変更されないＱｏＳフローが、第１のＰＤＵセッションに対応する、コアネットワークユーザプレーンデバイスとソース基地局との間のデータトンネルを介して送信され続けることを意味する。
を理解されたい。
【００６５】
任意選択で、要求メッセージ＃１は、経路切替え要求メッセージであってよい。これは、従来技術との互換性をより有することがある。
【００６６】
Ｓ３０２  コアネットワーク制御プレーンデバイスが、要求メッセージ＃２をコアネットワークユーザプレーンデバイスに送出する。
【００６７】
要求メッセージ＃２は、要求メッセージ＃１と同じまたは異なるものであってよい。要求メッセージ＃２が要求メッセージ＃１と異なるときは、要求メッセージ＃２は、要求メッセージ＃１に基づいてコアネットワーク制御プレーンデバイスによって生成され、要求メッセージ＃２は第１のＰＤＵセッションの識別を含む。任意選択で、要求メッセージ＃２はさらに、ＱｏＳフロー＃１の識別を含んでもよい。
【００６８】
Ｓ３０３  コアネットワークユーザプレーンデバイスが、データパケットのルートを変更し、エンドマーカパケットをソース基地局に送出する。
【００６９】
エンドマーカパケットは、ＱｏＳフロー＃１のＩＤを含む。エンドマーカパケットは、コアネットワークユーザプレーンデバイスがもはやＱｏＳフロー＃１のデータパケットをソース基地局に送出しないことをソース基地局に対して示すのに使用される。
【００７０】
具体的には、要求メッセージ＃１が第１のＰＤＵセッションのＩＤのみを含むか、またはさらに標識情報＃１も含む場合、コアネットワークユーザプレーンデバイスは、エンドマーカパケットをソース基地局に送る。代替として、ルート変更要求メッセージ＃１はさらにＱｏＳフロー＃１のＩＤを含むか、またはさらにＱｏＳフロー＃１のＩＤと標識情報＃１とを含み、コアネットワークユーザプレーンデバイスは、エンドマーカパケットをソース基地局に送る。
【００７１】
さらに、コアネットワークユーザプレーンデバイスは、エンドマーカパケットがソース基地局によって正しく受信される成功率を上げるために、複数のエンドマーカパケットを送ってもよい。
【００７２】
エンドマーカパケットは、空のデータパケットであってよい（すなわち、エンドマーカパケットはユーザデータを含まない）。加えて、空のデータパケットのカプセル化ヘッダが、エンドマーカを搬送してもよい。例えば、エンドマーカは、ＧＴＰＵヘッダまたは拡張ヘッダ中で搬送されてよい。空のデータパケットのカプセル化ヘッダは、ＱｏＳフロー＃１の識別を搬送してよい。
【００７３】
任意選択で、ステップＳ３０３におけるエンドマーカパケットのフォーマットは、複数のＱｏＳフローフィールドを含んでよく、複数のＱｏＳフローフィールドは、複数のＱｏＳと１対１で対応する。本出願のこの実施形態では、ステップＳ３０３で送出されるエンドマーカパケットは、代替として、専用のエンドマーカパケットであってもよい。この場合、エンドマーカパケットは、ＱｏＳフロー＃１のＩＤを搬送してもよく、またはＱｏＳフロー＃１のＩＤを搬送しなくてもよい。
【００７４】
例えば、第１のＰＤＵセッションのデータトンネルをターゲット基地局の方に切り替えるよう要求するために要求メッセージ＃１が使用される場合、コアネットワークユーザプレーンデバイスは、エンドマーカパケット＃１をソース基地局に送ってよい。エンドマーカパケット＃１は、コアネットワークユーザプレーンデバイスがもはや第１のＰＤＵセッション中のどんなＱｏＳフローのデータパケットもソース基地局に送出しないことを示すのに使用される。さらに、エンドマーカパケット＃１は、指示情報（指示情報＃１Ｂとして表される）をさらに搬送してもよく、指示情報＃１Ｂは、エンドマーカパケット＃１が第１のＰＤＵセッション中のすべてのＱｏＳフローに特有であることを示すのに使用される。
【００７５】
別の例として、ＱｏＳフロー＃１のデータトンネルをターゲット基地局の方に変更するよう要求するために要求メッセージ＃１が使用される場合、コアネットワークユーザプレーンデバイスは、エンドマーカパケット＃２をソース基地局に送ってよい。エンドマーカパケット＃２は、コアネットワークユーザプレーンデバイスがもはやＱｏＳフロー＃１のデータパケットをソース基地局に送出しないことを示すのに使用される。さらに、エンドマーカパケット＃２は、指示情報（指示情報＃１Ｃとして表される）をさらに搬送してもよく、指示情報＃１Ｃは、エンドマーカパケット＃２がＱｏＳフローに特有であることを示すのに使用される。
【００７６】
エンドマーカパケット＃１とエンドマーカパケット＃２は、異なる構造を有するデータパケットであることを理解されたい。
【００７７】
さらに、ＱｏＳフロールート変更が初めて実施されるとき、例えばＱｏＳフロー＃１についてのルート変更が実施されるときは、アクセスネットワークデバイスは、ターゲット基地局のＩＤと、ターゲット基地局中のルーティングアドレスであってルート変更されるＱｏＳフローが属するＰＤＵセッションのデータトンネルのルーティングアドレスとを、コアネットワーク制御プレーンデバイスに通知してよい。続いて同じＰＤＵセッション中のＱｏＳフローについてのルート変更が実施されるときは、アクセスネットワークデバイスは、ターゲット基地局の識別またはターゲットルーティングアドレスのみをコアネットワーク制御プレーンデバイスに通知すればよい。
【００７８】
前述のルーティングアドレスは、トランスポート層アドレスと、汎用パケット無線サービストンネリングプロトコルトンネルエンドポイント識別子（ＧＰＲＳ  Ｔｕｎｎｅｌｌｉｎｇ  Ｐｒｏｔｏｃｏｌ  Ｔｕｎｎｅｌ  Ｅｎｄｐｏｉｎｔ  Ｉｄｅｎｔｉｆｉｅｒ、ＧＴＰ  ＴＥ  ｉｄ）とを含む。
【００７９】
さらに、エンドマーカパケットは、エンドマーカパケットがＱｏＳフローに特有であることを示すのに使用される、またはエンドマーカがＱｏＳフローグループに特有であることを示すのに使用される指示情報を、さらに搬送することができる。例えば、基地局がＱｏＳフローのグループについてのルート変更を要求した場合、コアネットワークユーザプレーンデバイスは、ＰＤＵセッションのソースデータトンネル中でのＱｏＳフローグループのデータパケットの送出の終わりを示すように、エンドマーカパケットをセットすることができる。
【００８０】
本出願のこの実施形態における伝送方法によれば、コアネットワークユーザプレーンデバイスは、アクセスネットワークデバイスによってコアネットワーク制御プレーンデバイスを使用して送出された要求メッセージ＃１に基づいてエンドマーカパケットを送って、ソース基地局へのダウンリンク送信における少なくとも１つのＱｏＳフローのダウンリンク送信をコアネットワークユーザプレーンデバイスが終了することをソース基地局に対して示す。このようにして、ＱｏＳフローのレベルまたは粒度でダウンリンク送信の切替えが実装されることが可能であり、それにより、システムフレキシビリティが改善されることが可能である。
【００８１】
図４は、本出願による別の伝送方法の概略フローチャートである。図４のコアネットワークユーザプレーンデバイスはＵＰＦであってよく、コアネットワーク制御プレーンデバイスはＳＭＦおよび／またはＡＭＦであってよい。これは本出願のこの実施形態において限定されない。
【００８２】
図４に示される方法は、端末の第１のＰＤＵセッション中の少なくとも１つのＱｏＳフロー（ＱｏＳフロー＃１として表される）またはすべてのＱｏＳフローがターゲット基地局に転送されるプロセスに、適用され得る。例えば、切替えの間、端末の第１のＰＤＵセッション中のすべてのＱｏＳフローが、ターゲット基地局に転送される。または、第１のＰＤＵセッション中のすべてのＱｏＳフローがターゲット基地局に転送されることになるが、ＱｏＳフロー＃１のみがターゲット基地局にうまく受け入れられる。別の例として、デュアルコネクティビティプロセスにおいて、端末の第１のＰＤＵセッション中のＱｏＳフロー＃１はターゲット基地局（マスタ基地局またはセカンダリ基地局）に転送され、第１のＰＤＵセッション中の残りのＱｏＳフローはソース基地局（マスタ基地局またはセカンダリ基地局）に留まる。
【００８３】
以下、本出願のこの実施形態における伝送方法が、図４に関して詳細に記述される。
【００８４】
Ｓ４０１  アクセスネットワークデバイスが、第１の要求メッセージをコアネットワーク制御プレーンデバイスに送出する。
【００８５】
第１の要求メッセージは、コアネットワーク制御プレーンデバイスが、ユーザプレーンルートをターゲット基地局に変更するようコアネットワークユーザプレーンデバイスに要求するために使用される。
【００８６】
アクセスネットワークデバイスは、ソース基地局であってよく、またはターゲット基地局であってよいことを理解されたい。第１の要求メッセージがソース基地局によって送出されるときは、第１の要求メッセージは、ＰＤＵセッション（第１のＰＤＵセッションとして表される）中の少なくとも１つのＱｏＳフロー（ＱｏＳフロー＃１として表される）のユーザプレーンルートをターゲット基地局に変更するよう要求するために使用される。本明細書におけるソース基地局は、マルチコネクティビティシナリオではマスタ基地局またはセカンダリ基地局であることを理解されたい。それに対応して、本明細書におけるターゲット基地局は、マルチコネクティビティシナリオではセカンダリ基地局またはマスタ基地局である。ルート変更要求メッセージがターゲット基地局によって送出されるときは、ルート変更要求メッセージは、第１のＰＤＵセッションのデータトンネルをターゲット基地局の方に切り替えるよう要求するために使用される。
【００８７】
Ｓ４０２  コアネットワーク制御プレーンデバイスが、第１の要求メッセージに基づいて第２の要求メッセージをコアネットワークユーザプレーンデバイスに送出し、第２の要求メッセージを使用してルートを変更するようコアネットワークユーザプレーンデバイスに通知する。
【００８８】
Ｓ４０３  コアネットワークユーザプレーンデバイスが、エンドマーカパケットをソース基地局に送出する。
【００８９】
Ｓ４０４  エンドマーカパケットに対応する第１の要求メッセージがルート変更要求メッセージであるとソース基地局が決定したときは、ソース基地局は、コアネットワークユーザプレーンデバイスが第１のＰＤＵセッションのソースデータトンネル中でのＱｏＳフロー＃１のデータパケットの送信を終了することをエンドマーカパケットが示すと決定してよい。
【００９０】
任意選択で、この方法はさらに以下を含むことができる。すなわち、エンドマーカパケットに対応する第１の要求メッセージが経路切替え要求メッセージであるとソース基地局が決定したときは、ソース基地局は、コアネットワークユーザプレーンデバイスが第１のＰＤＵセッションのソースデータトンネル中でのすべてのＱｏＳフローのデータパケットの送信を終了することをエンドマーカパケットが示すと決定することができる。
【００９１】
具体的には、ソース基地局は、ソース基地局によって送出されたメッセージのタイプに基づいて、コアネットワークユーザプレーンデバイスによって送出されたエンドマーカパケットがＱｏＳフロー＃１を終了させるのに使用されるのか、それとも第１のＰＤＵセッション全体を終了させるのに使用されるのかを決定してよい。第１の要求メッセージがルート変更要求メッセージである場合は、エンドマーカパケットは、コアネットワークユーザプレーンデバイスが第１のＰＤＵセッションのソースデータトンネル中でのＱｏＳフロー＃１のデータパケットの送信を終了することを示す。第１の要求メッセージが経路切替え要求メッセージである場合は、エンドマーカパケットは、コアネットワークユーザプレーンデバイスが第１のＰＤＵセッションのソースデータトンネル中でのすべてのＱｏＳフローのデータパケットの送信を終了することを示す。
【００９２】
アクセスネットワークデバイスがマスタ基地局であり、マスタ基地局がターゲット基地局であり、セカンダリ基地局がソース基地局であるときは、ソース基地局は、ターゲット基地局とのメッセージ交換に基づいて、ターゲット基地局によってコアネットワーク制御プレーンデバイスに送出された第１の要求メッセージのタイプを決定する。
【００９３】
例えば、ソース基地局がハンドオーバ要求メッセージをターゲット基地局に送出する場合、ターゲット基地局によってコアネットワーク制御プレーンデバイスに送出される第１の要求メッセージのタイプは、経路切替え要求メッセージである。
【００９４】
ソース基地局が、端末のいくつかのＱｏＳフローをターゲット基地局に転送するよう求める要求メッセージをターゲット基地局に送出する場合、ターゲット基地局によってコアネットワーク制御プレーンデバイスに送出される第１の要求メッセージのタイプは、ルート変更要求メッセージである。
【００９５】
さらに、ソース基地局は、異なるシナリオに基づいて、エンドマーカパケットがＱｏＳフローに対応するのかそれともＰＤＵセッションに対応するのかを決定してもよい。例えば、ハンドオーバシナリオでは、コアネットワークユーザプレーンデバイスが第１のＰＤＵセッションのソースデータトンネル中でのすべてのＱｏＳフローのデータパケットの送信を終了することをエンドマーカパケットが示すと決定される。デュアルコネクティビティシナリオでは、エンドマーカパケットは、コアネットワークユーザプレーンデバイスが第１のＰＤＵセッションのソースデータトンネル中でのＱｏＳフロー＃１のデータパケットの送信を終了することを示す。
【００９６】
さらに、コアネットワークユーザプレーンデバイスは、エンドマーカパケットがソース基地局によって正しく受信される成功率を上げるために、複数のエンドマーカパケットを送ってもよい。
【００９７】
エンドマーカパケットは、空のデータパケットであってよい。加えて、空のデータパケットのカプセル化ヘッダが、エンドマーカを搬送してもよい。例えば、エンドマーカは、ＧＴＰＵヘッダまたは拡張ヘッダ中で搬送されてよい。
【００９８】
本出願のこの実施形態における伝送方法によれば、ソース基地局またはターゲット基地局が、第１の要求メッセージを使用して、ソースデータトンネル中での１つまたは複数のＱｏＳフローのデータパケットの送信を終了させるようコアネットワークユーザプレーンデバイスに要求したとき、コアネットワークユーザプレーンデバイスは、エンドマーカパケットを使用して、ソースデータトンネル中でのＰＤＵセッション全体の中のデータパケットの送信をコアネットワークユーザプレーンデバイスが終了することをソース基地局に対して示してよい。このようにして、ＱｏＳフローのレベルまたは粒度でダウンリンク送信の切替えが実装されることが可能であり、それにより、システムフレキシビリティが改善されることが可能である。
【００９９】
加えて、ターゲット基地局が、経路切替え要求メッセージを使用して、ソースデータトンネル中でのＰＤＵセッション全体の中のすべてのＱｏＳフローのデータパケットの送信を終了させるよう要求したとき、コアネットワークユーザプレーンデバイスはまた、同じフォーマットを有するエンドマーカパケットを使用して、データトンネル中でのＰＤＵセッション全体の中のデータパケットの送信をコアネットワークユーザプレーンデバイスが終了することをソース基地局に対して示してよい。コアネットワークユーザプレーンデバイスは一様なフォーマットを有するエンドマーカパケットを使用し、したがって、コアネットワークユーザプレーンデバイスおよびソース基地局によるエンドマーカパケットの処理複雑性が低減されることが可能である。
【０１００】
図５は、本出願による別の伝送方法の概略フローチャートである。図５のコアネットワークユーザプレーンデバイスはＵＰＦであってよく、コアネットワーク制御プレーンデバイスはＳＭＦおよび／またはＡＭＦであってよい。
【０１０１】
以下、本出願のこの実施形態における伝送方法が、図５に関して詳細に記述される。
【０１０２】
Ｓ５０１  ソース基地局が、端末またはコアネットワークユーザプレーンデバイスによって送出されたエンドマーカパケットを受信する。エンドマーカパケットは、第１のＰＤＵセッションの識別と、少なくとも１つのＱｏＳフロー（ＱｏＳフロー＃１として表される）の識別とを含む。
【０１０３】
Ｓ５０２  ソース基地局が、エンドマーカパケットに基づいて、ＱｏＳフロー＃１に対応するリソースを解放または終了する。
【０１０４】
任意選択で、ソース基地局は、端末のコンテキストにおけるＱｏＳフロー＃１のパラメータを解放する。
【０１０５】
具体的には、端末またはコアネットワークユーザプレーンデバイスは、ＱｏＳフロー＃１の送信を終了することを自主的に決定してよい。例えば、ＱｏＳフロー＃１のアップリンク送信を終了することを端末が決定したとき、端末は、エンドマーカパケットを送って、ＱｏＳフロー＃１のアップリンク送信の終わりをソース基地局に通知する。エンドマーカパケットを送出した後は、端末は、もはやＱｏＳフロー＃１のデータパケットを基地局に送出しない。別の例として、ＱｏＳフロー＃１のダウンリンク送信を終了することをコアネットワークユーザプレーンデバイスが決定したとき、コアネットワークユーザプレーンデバイスは、エンドマーカパケットを送って、ＱｏＳフロー＃１のダウンリンク送信の終わりをソース基地局に通知する。エンドマーカパケットを送出した後は、コアネットワークユーザプレーンデバイスは、もはやＱｏＳフロー＃１のデータパケットをソース基地局に送出しない。ソース基地局は、エンドマーカパケットを受信した後は、もはやＱｏＳフロー＃１のデータパケットを端末に送出しない。
【０１０６】
任意選択で、端末またはコアネットワークユーザプレーンデバイスは、エンドマーカパケットがソース基地局によって正しく受信される成功率を上げるために、複数のエンドマーカパケットを送ってもよい。
【０１０７】
エンドマーカパケットは、空のデータパケットであってよい。加えて、空のデータパケットのカプセル化ヘッダが、エンドマーカを搬送してもよい。例えば、エンドマーカは、ＧＴＰＵヘッダまたは拡張ヘッダ中で搬送されてよい。空のデータパケットのカプセル化ヘッダは、ＱｏＳフロー＃１のＩＤを搬送してよい。
【０１０８】
本出願のこの実施形態における伝送方法によれば、端末またはコアネットワークユーザプレーンデバイスは、ＱｏＳフローのＩＤを含むエンドマーカパケットを送って、ＱｏＳフロー＃１の送信を終了してよい。
【０１０９】
ソース基地局は、エンドマーカパケットを受信した後、ＱｏＳフロー＃１に割り当てられたリソースを解放または終了してよい。
【０１１０】
さらに、ソース基地局は、端末のコンテキストにおけるＱｏＳフロー＃１のＱｏＳパラメータを解放してよい。ＱｏＳパラメータは、レイテンシ、パケット損失率、優先順位、およびレートなどのインジケータパラメータを含むが、これらに限定されない。このようにして、システムリソースが節約される。
【０１１１】
以下、システム間ハンドオーバプロセスに適用される伝送方法が、図６、図７、および図８に関して詳細に記述される。具体的には、図６、図７、および図８に示される伝送方法は、データパケットまたはデータを転送するプロセスにおいて使用されてよい。
【０１１２】
データ転送またはデータパケット転送は、ソース基地局が、コアネットワークユーザプレーンデバイスまたは端末から受信されたデータパケットをターゲット基地局に送信し、ターゲット基地局が、ソース基地局から受信されたデータパケットを端末またはコアネットワークユーザプレーンデバイスに送出することを意味する。
【０１１３】
後続の記述では、第１のコアネットワーク制御プレーンデバイスはＡＭＦおよび／またはＳＭＦであってよく、第２のコアネットワーク制御プレーンデバイスはＭＭＥであってよく、第１のコアネットワークユーザプレーンデバイスはＵＰＦであってよく、第２のコアネットワークユーザプレーンデバイスはＳ−ＧＷであってよい。
【０１１４】
図６は、本出願による伝送方法の概略フローチャートである。以下、本出願のこの実施形態における伝送方法が、図６に関して詳細に記述される。
【０１１５】
Ｓ６０１  ソース基地局が、第１の要求メッセージを第１のコアネットワーク制御プレーンデバイスに送出する。
【０１１６】
第１の要求メッセージは転送指示を含み、転送指示は、第１のＰＤＵセッションの転送されるデータパケットをターゲット基地局に送出するよう第１のコアネットワークユーザプレーンデバイスに命令するために使用される。
【０１１７】
任意選択で、第１の要求メッセージはさらに、少なくとも１つのＱｏＳフロー（ＱｏＳフロー＃１として表される）のＩＤを含んでもよい。ＱｏＳフロー＃１のＩＤの指示に基づいて、ソース基地局は、ＱｏＳフロー＃１を使用して先渡しデータパケットの送信を実施するよう要求する。
【０１１８】
先渡しデータパケットは、ソース基地局によって第１のコアネットワークユーザプレーンデバイス（例えばＵＰＦ）から受信されたデータパケットのうちの、端末から受信肯定応答が受信されていないすべてのデータパケット、またはまだ端末に送出されていないすべてのデータパケットであってよいことに留意されたい。
【０１１９】
Ｓ６０２  第１のコアネットワーク制御プレーンデバイスが、第１の要求メッセージに基づいて第１の応答メッセージをソース基地局に送出する。
【０１２０】
第１の応答メッセージは、第１のＰＤＵセッションに対応する少なくとも１つの第１のＥＰＳベアラの識別と、転送指示とを含む。
【０１２１】
Ｓ６０３  ソース基地局が、第１の応答メッセージに基づいて、ソース基地局からターゲット基地局へのトランスペアレントコンテナ情報を生成する。
【０１２２】
トランスペアレントコンテナ情報は、ソース基地局の無線関連情報、例えば、Ｅ−ＲＡＢ  ＩＤリスト、各Ｅ−ＲＡＢ  ＩＤに対応するＥ−ＲＡＢ  ＵＥ履歴情報、および転送指示、を含んでよい。Ｅ−ＲＡＢは、ＥＰＳベアラと１対１で対応する。本明細書における転送指示は、転送されるべきデータをＥ−ＲＡＢが有することを示すことを理解されたい。
【０１２３】
Ｓ６０４  ソース基地局が、ハンドオーバ要求メッセージをコアネットワーク制御プレーンデバイスに送出する。ハンドオーバ要求メッセージは、トランスペアレントコンテナ情報を含む。
【０１２４】
次いで、ノード、例えばソース基地局およびターゲット基地局は、従来技術に従ってハンドオーバプロセスを実施してよい。本出願のこの実施形態では、詳細はここで記述されない。このようにして、ソース基地局は、転送されるべきダウンリンクデータをどのＥ−ＲＡＢが有するかをターゲット基地局に対して示すことができる。
【０１２５】
図７は、本出願による伝送方法の概略フローチャートである。図７は、本出願の一実施形態による伝送方法の概略フローチャートであり、この方法の詳細な通信ステップまたは動作を示すが、これらのステップまたは動作は例にすぎないことを理解されたい。本出願のこの実施形態では、他の動作、または図７の動作の変形もまた実施されてよい。加えて、図７のステップは、図７に示されるのとは異なる順序で実施されてもよく、図７の動作のすべてが実施されなくてもよい。
【０１２６】
以下、本出願のこの実施形態における伝送方法が、図７に関して詳細に記述される。
【０１２７】
Ｓ７０１  ソース基地局が、先渡しされることになるデータ、および第１のエンドマーカパケットを、第１のコアネットワークユーザプレーンデバイスに送信する。
【０１２８】
第１のエンドマーカパケットは、第１のコアネットワークユーザプレーンデバイスからソース基地局によって受信される。第１のエンドマーカパケットは、空のデータパケットであってよい。加えて、空のデータパケットのカプセル化ヘッダが、エンドマーカを搬送する。例えば、エンドマーカは、ＧＴＰＵヘッダまたは拡張ヘッダ中で搬送される。
【０１２９】
具体的には、データ転送のためのデータトンネルが、ソース基地局と第１のコアネットワークユーザプレーンデバイスとの間で確立されてよい。データ転送トンネルは、ＰＤＵセッションごとに確立される。すなわち、データ転送のためのデータトンネルは、各ＰＤＵセッションにつき確立される。ＰＤＵセッションごとに確立された、第１のＰＤＵセッションに対応するデータトンネルは、データトンネル＃１として表されてよく、ソース基地局は、データトンネル＃１を介して、データパケットおよび第１のエンドマーカパケットを第１のコアネットワークユーザプレーンデバイスに転送してよい。
【０１３０】
第１のエンドマーカパケットは、セッション中のパケットの送出の終わりを示すようにＰＤＵセッションに従ってセットされてよく、または、ＱｏＳフローのパケットの送出の終わりを示すようにＱｏＳフローに従ってセットされてよい。
【０１３１】
Ｓ７０２  第１のコアネットワークユーザプレーンデバイスが、第１のエンドマーカパケットと、第１のセッションと第１のＥＰＳベアラとの間の対応とに基づいて、第２のエンドマーカパケットを生成する。第２のエンドマーカパケットは、第１のＥＰＳベアラの識別を搬送する。
【０１３２】
Ｓ７０３  第１のコアネットワークユーザプレーンデバイスが、転送されるデータパケット、および第２のエンドマーカパケットを、第２のコアネットワークユーザプレーンデバイスに送出する。
【０１３３】
具体的には、データ転送のためのデータトンネルが、ＥＰＳベアラに従って、第１のコアネットワークユーザプレーンデバイスと第２のコアネットワークユーザプレーンデバイスとの間、および第２のコアネットワークユーザプレーンデバイスとターゲット基地局との間で確立される。ＥＰＳベアラに従って確立された、第１のＰＤＵセッションに対応するデータトンネルは、データトンネル＃２として表されてよい。次いで、第１のコアネットワークユーザプレーンデバイスは、データトンネル＃２を介して、転送されるデータパケットおよび第２のエンドマーカパケットを第２のコアネットワークユーザプレーンデバイスに送ってよい。
【０１３４】
Ｓ７０４  第２のコアネットワークユーザプレーンデバイスが、転送されるデータパケット、および第２のエンドマーカパケットを、ターゲット基地局に送出する。
【０１３５】
Ｓ７０５  ターゲット基地局が、転送されるデータパケットを第２のエンドマーカに基づいて端末に送出した後、第２のコアネットワークユーザプレーンデバイスから受信されたデータパケットを端末に送出する。
【０１３６】
具体的には、ターゲット基地局はまず、受信された転送されるデータパケットを送出し、ＥＰＳベアラ上の転送されるデータパケットが送出されたことを第２のエンドマーカパケットに基づいて決定した後、第２のコアネットワークユーザプレーンデバイスから受信されたデータパケット（すなわち新しいデータパケット）を送出する。このようにして、ＥＰＳベアラ上のデータパケットの順序正しい送信が確実にされることが可能である。
【０１３７】
本出願のこの実施形態では、ターゲット基地局が第２のエンドマーカパケットを受信および検出した後は、第２のエンドマーカパケットは廃棄されてよい。さらに、ターゲット基地局は、データトンネル＃２のリソースを解放してよい。
【０１３８】
本出願のこの実施形態における伝送方法によれば、第１のコアネットワークユーザプレーンデバイスは、ＥＰＳベアラに対応する第２のエンドマーカパケットをセットして送出する。したがって、ターゲット基地局はまず、エンドマーカパケットに基づいて、ソース基地局から受信された転送されるデータパケットを送出することができ、次いで、第２のコアネットワークユーザプレーンデバイスから受信された新しいデータパケットを送出し、それにより、ＥＰＳベアラ上のデータパケットの順序正しい送信を確実にする。
【０１３９】
図８は、本出願による伝送方法の概略フローチャートである。図８は、本出願の実施形態による伝送方法の概略フローチャートであり、詳細な通信ステップまたは方法の動作を示すが、これらのステップまたは動作は例にすぎないことが理解されるべきである。本出願のこの実施形態では、図８における他の動作または動作の変形も実施されてよい。さらに、図８におけるステップは、図８に示される順序とは異なる順序で実施されてよく、図８におけるすべての動作が実施されるとは限らないことがある。
【０１４０】
本出願のこの実施形態における伝送方法は、以下で図８を参照しながら詳細に説明される。
【０１４１】
Ｓ８０１  ソース基地局は、第１のコアネットワークユーザプレーンデバイスから受信されたデータおよび第１のエンドマーカパケットを第１のコアネットワークユーザプレーンデバイスに送信する。
【０１４２】
第１のエンドマーカパケットは、第１のコアネットワークユーザプレーンデバイスからソース基地局によって受信され、第１のエンドマーカパケットは、空のデータパケットであってよい。さらに、空のデータパケットのカプセル化ヘッダが、エンドマーカを搬送することがある。例えば、エンドマーカは、ＧＴＰＵヘッダまたは拡張ヘッダ内で搬送されることがある。
【０１４３】
具体的には、データ転送のためのデータトンネルが、ソース基地局と第１のコアネットワークユーザプレーンデバイスとの間で確立されることがある。データ転送トンネルは、ＰＤＵセッションに応じて確立される、すなわち、先渡しデータパケットを送信するためのデータトンネルが、各ＰＤＵセッションに対して確立される。ＰＤＵセッションに応じて確立され第１のＰＤＵセッションに対応するデータトンネルは、データトンネル＃１と示されることがあり、その場合、ソース基地局が、データトンネル＃１を使用することによって、先渡しデータパケットおよび第１のエンドマーカパケットを第１のコアネットワークユーザプレーンデバイスに送出することがある。
【０１４４】
Ｓ８０２  第１のコアネットワークユーザプレーンデバイスは、第１のエンドマーカパケットに基づいて、転送されたデータおよび新たなデータパケットを第２のコアネットワークユーザプレーンデバイスに連続的に送出する。
【０１４５】
具体的には、データトンネルが、第１のコアネットワークユーザプレーンデバイスから受信された、ソース基地局の転送されたダウンリンクデータ（すなわち、転送されたデータパケット）と、新たなデータパケットを送信するために、ＥＰＳベアラに応じて第１のコアネットワークユーザプレーンデバイスと第２のコアネットワークユーザプレーンデバイスとの間と、第２のコアネットワークユーザプレーンデバイスとターゲット基地局との間で確立される。本明細書においてＥＰＳベアラに応じて確立されるデータトンネルは、データトンネル＃３と示されることがある。第１のコアネットワークユーザプレーンデバイスは、第１のエンドマーカパケットに基づいて、転送されたデータはデータトンネル＃３を使用することによって送出されたと決定し、次いで、第１のエンドマーカパケットが破棄される。次いで、新たなデータパケットが、データトンネル＃３を使用することによって送出される。
【０１４６】
さらに、転送されたデータのカプセル化ヘッダは、ＱｏＳフローの識別を搬送することがあり、第１のコアネットワークユーザプレーンデバイスは、ＱｏＳフローの識別に基づいてデータトンネル＃３を決定する。例えば、ＥＰＳベアラに対応するデータトンネルは、ＱｏＳフローとＥＰＳベアラとの間の対応に基づいてインデックスが付けられる。
【０１４７】
Ｓ８０３  第２のコアネットワークユーザプレーンデバイスは、転送されたデータパケットおよび新たなデータパケットをターゲット基地局に連続的に送出する。
【０１４８】
Ｓ８０４  ターゲット基地局は、第２のコアネットワークユーザプレーンデバイスから受信されたダウンリンクデータパケットを端末に送出する。ダウンリンクデータパケットは、転送されたデータパケットと、新たなデータパケットとを含む。
【０１４９】
本出願のこの実施形態における方法／によれば、ソース基地局は、先渡しデータパケットを第１のコアネットワークユーザプレーンデバイスに送出し、第１のコアネットワークユーザプレーンデバイスは、最初に、ソース基地局から受信された転送されたデータパケットを送出し、次いで、新たなデータパケットを送出し、それによって、ＥＰＳベアラ上でのデータパケットの順序正しい送信を確実にする。さらに、ダウンリンクデータの転送のためのトンネルが、第１のコアネットワークユーザプレーンデバイスと第２のコアネットワークユーザプレーンデバイスとの間と、第２のコアネットワークユーザプレーンデバイスとターゲット基地局との間で確立される必要はなく、それによって、オーバヘッドを減少させる。ターゲット基地局は、転送されたデータと新たなデータパケットを区別する必要はない。
【０１５０】
システム間ハンドオーバにおけるデータ転送は、上記で説明されており、システム間ハンドオーバプロセスに適用されるデータ転送のための伝送方法は、以下で図９、図１０、および図１１を参照しながら詳細に説明される。
【０１５１】
最初に、図９、図１０、および図１１に関する以下の説明では、第１のＰＤＵセッションに属し、ソース基地局によってターゲット基地局に送出される必要があるデータパケットは、第１のＰＤＵセッションのデータパケット内で転送される必要があるデータパケットであることが留意されるべきである。第１のＰＤＵセッションのデータパケット内で転送される必要があるデータパケットは、
（１）第１のＰＤＵセッションに属しソース基地局によってコアネットワークユーザプレーンデバイスから受信されたデータパケット内の、受信肯定応答が端末から受信されていないすべてのデータパケット、および／もしくはまだ端末に送出されていないすべてのデータパケット、
（２）ソース基地局の第１のＳＤＡＰエンティティ内にキャッシュされたデータパケット、すなわち、ＳＤＡＰ  ＳＤＵ、または
（３）ソース基地局の第１のＳＤＡＰエンティティ内にキャッシュされたデータパケットおよびＰＤＣＰエンティティによってうまく送出されなかったデータパケット
のいずれか１つであってよい。
【０１５２】
第１のＳＤＡＰエンティティは第１のＰＤＵセッションに対応することが理解されるべきである。受信確認が端末から受信されたデータパケット、まだ端末に送出されていないデータパケット、およびＰＤＣＰエンティティによってうまく送出されないデータパケットはすべて、ＰＤＣＰエンティティ内にキャッシュされる。したがって、第１のＰＤＵセッションに属し、ソース基地局によってターゲット基地局に送出される必要があるデータパケットは、第１のＳＤＡＰエンティティ内にキャッシュされたデータパケットおよび／またはＰＤＣＰエンティティ内にキャッシュされたデータパケットである。具体的には、第１のＳＤＡＰエンティティ内にキャッシュされたデータパケットがある場合、第１のＰＤＵセッションに属し、ソース基地局によってターゲット基地局に送出される必要があるデータパケットは、第１のＳＤＡＰエンティティ内にキャッシュされたデータパケットおよびＰＤＣＰエンティティ内にキャッシュされたデータパケットである。または、第１のＳＤＡＰエンティティ内にキャッシュされたデータパケットがない場合、第１のＰＤＵセッションに属し、ソース基地局によってターゲット基地局に送出される必要があるデータパケットは、ＰＤＣＰエンティティ内にキャッシュされたデータパケットである。
【０１５３】
図９は、本出願による伝送方法の概略フローチャートである。図９は、本出願の実施形態による伝送方法の概略フローチャートであり、詳細な通信ステップまたは方法の動作を示すが、これらのステップまたは動作は例にすぎないことが理解されるべきである。本出願のこの実施形態では、図９における他の動作または動作の変形も実施されてよい。さらに、図９におけるステップは、図９に示される順序とは異なる順序で実施されてよく、図９におけるすべての動作が実施されるとは限らないことがある。
【０１５４】
本出願のこの実施形態における伝送方法は、以下で図９を参照しながら詳細に説明される。
【０１５５】
Ｓ９０１  ソース基地局が、ターゲット基地局の第１のＰＤＣＰエンティティと第２のＰＤＣＰエンティティとの間のデータトンネルを使用することによって、第１のパケットデータコンバージェンスプロトコル（ＰＤＣＰ）エンティティの第１の部分のデータパケットをターゲット基地局に送出する。
【０１５６】
第１の比率のデータパケットは、第１のプロトコルデータユニット（ＰＤＵ）セッション内の第１のＱｏＳフロー（ＱｏＳフロー＃１と示される）のデータパケットである。第１のＰＤＵセッションは、少なくとも１つのＱｏＳフローを含む。少なくとも１つのＱｏＳフローは、少なくとも１つのＰＤＣＰエンティティと１対１で対応する。少なくとも１つのＱｏＳフローは、第１のＱｏＳフローを含む。少なくとも１つのＰＤＣＰエンティティは、第１のＰＤＣＰエンティティを含む。第１のＰＤＣＰエンティティは、第１のＱｏＳフローに対応する。第１のＱｏＳフローは、少なくとも１つのＱｏＳフローのいずれか１つである。
【０１５７】
Ｓ９０２  ソース基地局は、第１の指示情報をターゲット基地局に送出する。第１の指示情報は、第１のＰＤＣＰエンティティの第１の比率のデータパケットが送出されていることを示すために使用される。
【０１５８】
Ｓ９０３  第１の指示情報に基づいて、第１の比率のデータパケットのすべてのデータパケットが端末に送出されたと決定した後、ターゲット基地局は、ターゲット基地局のＳＤＡＰエンティティから受信されたデータパケットを端末に送出する。
【０１５９】
任意選択で、第１の指示情報は、第１の比率のデータパケット内のすべてのデータパケットによって搬送されるＰＤＣＰシーケンス番号に最大ＰＤＣＰシーケンス番号を含む、または
第１の指示情報は、次に割り当てられることになるＰＤＣＰシーケンス番号を含む、または
第１の指示情報は、第１のＰＤＣＰエンティティによって生成されたエンドマーカパケットである。
【０１６０】
任意選択で、ソース基地局が第１のＰＤＣＰエンティティ内の第１の比率のデータパケットをターゲット基地局の第２のＰＤＣＰエンティティに送出する前に、方法は、
第１のＰＤＣＰエンティティによって、ソース基地局の第１のＳＤＡＰエンティティによって送出された第２の指示情報を受信することをさらに含み、第２の指示情報は、第１のＳＤＡＰエンティティが第１のＱｏＳフローのデータパケットを第１のＰＤＣＰエンティティに送出することを停止することを示すために使用され、第１のＳＤＡＰエンティティによって第１のＰＤＣＰエンティティに送出される第１のＱｏＳフローのデータパケットは第１の比率のデータパケットであり、第１のＳＤＡＰエンティティは第１のＰＤＵセッションに対応する。
【０１６１】
任意選択で、第２の指示情報は、コアネットワークユーザプレーンデバイスから受信されたエンドマーカパケットに基づいてＳＤＡＰエンティティによって送出される。
【０１６２】
図１０は、本出願による伝送方法の概略フローチャートである。図１０は、本出願の実施形態による伝送方法の概略フローチャートであり、詳細な通信ステップまたは方法の動作を示すが、これらのステップまたは動作は例にすぎないことが理解されるべきである。本出願のこの実施形態では、図１０における他の動作または動作の変形も実施されてよい。さらに、図１０におけるステップは、図１０に示される順序とは異なる順序で実施されてよく、図１０におけるすべての動作が実施されるとは限らないことがある。
【０１６３】
本出願のこの実施形態における伝送方法は、以下で図１０を参照しながら詳細に説明される。
【０１６４】
Ｓ１００１  ソース基地局の第１のＳＤＡＰエンティティは、第１の指示情報をソース基地局の第１のＰＤＣＰエンティティに送出する。
【０１６５】
第１のＰＤＵセッションは少なくとも１つのＱｏＳフローを含み、この少なくとも１つのＱｏＳフローはＰＤＣＰエンティティに対応する。少なくとも１つのＰＤＣＰエンティティ内の第１のＰＤＣＰは、第１のＰＤＵセッション内の第１のＱｏＳフロー（ＱｏＳフロー＃１と示される）に対応し、ＱｏＳフロー＃１は、第１のＰＤＵセッション内の任意のフローであってよい。したがって、一般性を失うことなく、第１のＰＤＵセッション内に含まれる少なくとも１つのＱｏＳフローが、ＱｏＳフロー＃１に加えて、他のＱｏＳフロー（ＱｏＳフロー＃２からＱｏＳフロー＃Ｒと示され、ここで、Ｒは、２よりも大きいまたはこれに等しい整数である）をさらに含み、転送される必要があるデータパケットが、ＱｏＳフロー＃２からＱｏＳフロー＃Ｒ内に存在する場合、少なくとも１つのＰＤＣＰエンティティ内にありＱｏＳフロー＃２からＱｏＳフロー＃Ｒと１対１で対応する他のＰＤＣＰエンティティは、第１のＰＤＣＰエンティティの動作を参照して、ＱｏＳフロー＃２からＱｏＳフロー＃Ｒのデータパケットの転送を実施することがある。
【０１６６】
具体的には、ソース基地局内の第１のＳＤＡＰエンティティ内にキャッシュされたデータパケットがない場合、またはキャッシュされたデータパケットがあるが、第１のＳＤＡＰエンティティが現在データパケットを第１のＰＤＣＰエンティティに送出することを停止する場合、第１のＳＤＡＰエンティティは、第１の指示情報を第１のＰＤＣＰエンティティに送出する。第１の指示情報は、第１のＳＤＡＰエンティティがＱｏＳフロー＃１のデータパケットをもはや第１のＰＤＣＰエンティティに送出しないことを示すために使用される。第１のＰＤＣＰエンティティは、第１の指示情報に基づいて、第１のＳＤＡＰエンティティによって送出され第１のＰＤＣＰエンティティによって受信される最後のデータパケットを決定することがある。任意選択で、第１の指示情報はエンドマーカパケットであってよく、エンドマーカパケットのＳＤＡＰヘッダはエンドマーカを搬送する。エンドマーカパケットは空のデータパケットであってよい。
【０１６７】
Ｓ１００２  第１のＰＤＣＰエンティティは、第１のＰＤＣＰエンティティと第２のＰＤＣＰエンティティとの間のデータトンネル（データトンネル＃１と示される）を使用することによって、ＱｏＳフロー＃１に属し第１のＰＤＣＰエンティティ内にキャッシュされるデータパケット（データパケット＃１からデータパケット＃ｉと示され、ここで、ｉは、１よりも大きいまたはこれに等しい整数である）をターゲット基地局の第２のＰＤＣＰエンティティに送出し、第２のＰＤＣＰエンティティはＱｏＳフロー＃１に対応する。
【０１６８】
第１のＰＤＣＰエンティティおよび第２のＰＤＣＰエンティティは、従来技術または将来提案される新しい方法を使用してデータトンネル＃１を確立してよいことが理解されるべきであり、これは、本出願のこの例では限定されない。
【０１６９】
Ｓ１００３  ソース基地局は、第１の指示情報に基づいて、第２の指示情報をターゲット基地局に送出する。
【０１７０】
第２の指示情報は、第１のＰＤＣＰエンティティが、ＱｏＳフロー＃１に属し第１のＰＤＣＰエンティティ内にキャッシュされたすべてのデータパケットすなわちデータパケット＃１からデータパケット＃ｉを送出したことを示すために使用される。
【０１７１】
具体的には、ソース基地局が、第１の指示情報例えばエンドマーカパケットに基づいて、第１のＳＤＡＰエンティティによって送出されソース基地局によって受信された最後のデータパケットすなわちデータパケット＃ｉを決定することがある。したがって、データパケット＃ｉを送出した後、ソース基地局は、第２の指示情報をターゲット基地局に送出し、第２の指示情報を使用することによって、ソース基地局が第１のＰＤＣＰエンティティ内にキャッシュされたデータパケットをすべて送っており、もはやデータパケットを第２のＰＤＣＰエンティティに送出しないことをターゲット基地局に通知する。
【０１７２】
任意選択で、第２の指示情報は、Ｘｎインターフェイス間でメッセージを使用することによって送出されることがあり、例えば、ＳＮステータス転送（ＳＮ  ＳＴＡＴＵＳ  ＴＲＡＮＳＦＥＲ）メッセージを使用することによって送出されることがある。
【０１７３】
さらに、第１のＰＤＣＰエンティティは、ＰＤＣＰ  ＳＮを第１のＰＤＣＰエンティティ内にキャッシュされたすべてのデータパケットに割り当てることがある。この場合、第２の指示情報は、第１のＰＤＣＰエンティティ内にキャッシュされたデータパケット内の最大ＰＤＣＰシーケンス番号、すなわち、データパケット＃ｉのＰＤＣＰシーケンス番号であることがある。代替として、第２の指示情報は、次に割り当てられることになる最大シーケンス番号であることがある。
【０１７４】
任意選択で、第２の指示情報は第２のエンドマーカパケットであってよく、第２のエンドマーカパケットはエンドマーカを搬送する。
【０１７５】
具体的には、第１のＰＤＣＰエンティティ内にキャッシュされたデータパケットが、ＰＤＣＰ  ＳＮが割り当てられるデータパケットと、ＰＤＣＰ  ＳＮが割り当てられないデータパケットとを含む場合、ソース基地局は、第１の指示情報に基づいて、第１のＰＤＣＰエンティティ内にキャッシュされたデータパケットにおける最後のデータパケット（すなわち、データパケット＃ｉ）を決定した後に第２のエンドマーカパケットをセットし、データパケット＃ｉを第２のＰＤＣＰエンティティに送出した後に第２のエンドマーカパケットを送出することがある。第２のエンドマーカパケットは空のデータパケットであってよく、エンドマーカパケットのＧＴＰＵヘッダまたはＧＴＰＵ拡張ヘッダは、エンドマーカを搬送することがある。
【０１７６】
さらに、ターゲット基地局は、第２の指示情報を受信した後、データトンネル＃１のリソースを解放することがある。
【０１７７】
Ｓ１００４  第２のＰＤＣＰエンティティが、データパケット＃１からデータパケット＃ｉを端末に送出する。
【０１７８】
任意選択で、第１のＳＤＡＰエンティティ内にキャッシュされたデータパケットがある場合、方法は、以下のステップをさらに含むことがある。
【０１７９】
Ｓ１００５  第１のＳＤＡＰエンティティは、第１のＰＤＣＰエンティティと第２のＳＤＡＰエンティティとの間のデータトンネル（データトンネル＃２と示される）を使用することによって、第１のエンドマーカパケットと、第１のＰＤＵセッションに属し第１のＳＤＡＰエンティティ内にキャッシュされたデータパケットを、ターゲット基地局の第２のＳＤＡＰエンティティに送出する。
【０１８０】
理解と説明を容易にするため、第１のＰＤＵセッションに属し、第１のＳＤＡＰエンティティ内にキャッシュされたデータパケットは、以下ではデータパケット（ｉ＋１）からデータパケットＭと示され、ここで、Ｍは、２よりも大きいまたはこれに等しい整数である。
【０１８１】
具体的には、第１のＳＤＡＰエンティティは、データトンネル＃２を使用することによってデータパケット（ｉ＋１）からデータパケットＭを送出し、データパケットＭを送出した後、第１のエンドマーカパケットを送出する。第１のエンドマーカパケットは、コアネットワークユーザプレーンデバイスから第１のＳＤＡＰエンティティによって受信される。第１のエンドマーカパケットはエンドマーカを含み、第１のエンドマーカパケットは、第１のＳＤＡＰエンティティが、第１のＰＤＵセッションに属し第１のＳＤＡＰエンティティ内にキャッシュされたデータパケットをすべて送出したことを示すために使用される。第２のＳＤＡＰエンティティは、第１のＰＤＵセッションに対応する。第１のエンドマーカパケットを受信した後、第２のＳＤＡＰエンティティは、第１のＳＤＡＰエンティティが、第１のＳＤＡＰエンティティ内にキャッシュされたデータパケットをすべて送出したと決定し得る。
【０１８２】
Ｓ１００６  第２の指示情報に基づいて、データパケット＃１からデータパケット＃ｉがすべて送出されたと決定した後、第２のＰＤＣＰエンティティは、第２のＳＤＡＰエンティティから受信されたデータパケットを送出し、第２のＳＤＡＰエンティティは、第１のＰＤＵセッションに対応する。
【０１８３】
具体的には、第２のＰＤＣＰエンティティは、第２の指示情報に基づいて、第１のＰＤＣＰエンティティから受信されたデータパケットがすべて端末に送出されたと決定することがある。次いで、第２のＰＤＣＰエンティティは、第１のＰＤＵセッションに属し第２のＳＤＡＰから受信されたデータパケットを送出する。このようにして、転送される必要があるデータパケットがすべて送出された後、転送されたデータパケットの後のデータパケットが、第１のＰＤＵセッションのデータパケットの順序の乱れを回避するように送出されることを確実にすることができる。
【０１８４】
ステップＳ１００５を参照すると、第１のＳＤＡＰエンティティがデータトンネル＃２を使用することによってデータパケット（ｉ＋１）からデータパケットＭを送出する場合、ステップＳ１００６では、第２のＰＤＣＰエンティティが、第２の指示情報に基づいて、第１のＰＤＣＰエンティティから受信されたデータパケットがすべて端末に送出されたと決定した後、第２のＰＤＣＰエンティティは、第２のＳＤＡＰから受信されたデータパケット（ｉ＋１）からデータパケットＭを送出する。第１のエンドマーカパケットの前のデータパケットをすべて送出した後、第２のＳＤＡＰは、ＱｏＳフロー＃１に属しコアネットワークユーザプレーンから受信されたデータパケットを、第２のＰＤＣＰエンティティに送出し始める。このようにして、受信された先渡しデータパケットがすべて送出された後、先渡しデータパケットの後のデータパケットが、第１のＰＤＵセッションのデータパケットの順序の乱れを回避するように送出されることを確実にすることができる。
【０１８５】
本出願のこの実施形態では、ターゲット基地局内のＱｏＳフローとＤＲＢとの間のマッピング関係がソース基地局内のそれと一致しない場合、例えば、ソース基地局ではＱｏＳフロー＃１はＤＲＢ＃１（第１のＰＤＣＰエンティティに対応する）にマッピングされるが、ターゲット基地局ではＱｏＳフロー＃１はＤＲＢ＃２（第２のＰＤＣＰエンティティに対応する）にマッピングされる場合、ターゲット基地局内のＱｏＳフロー＃２からＱｏＳフロー＃Ｒに対応する第２のＰＤＣＰエンティティおよびＰＤＣＰエンティティが第１のＰＤＵセッションの転送されたデータパケットをすべて送出した後、第２のＳＤＡＰエンティティは、データパケットを、ターゲット基地局内のＱｏＳフロー＃２からＱｏＳフロー＃Ｒに対応する第２のＰＤＣＰおよびＰＤＣＰエンティティに送出する。このようにして、ＱｏＳフローのデータパケットの順序正しい送信を確実にすることができる。
【０１８６】
図１１は、本出願による伝送方法の概略フローチャートである。図１１は、本出願の実施形態による伝送方法の概略フローチャートであり、詳細な通信ステップまたは方法の動作を示すが、これらのステップまたは動作は例にすぎないことが理解されるべきである。本出願のこの実施形態では、図１１における他の動作または動作の変形も実施されてよい。さらに、図１１におけるステップは、図１１に示される順序とは異なる順序で実施されてよく、図１１におけるすべての動作が実施されるとは限らないことがある。
【０１８７】
本出願のこの実施形態における伝送方法は、以下で図１１を参照しながら詳細に説明される。
【０１８８】
Ｓ１１０１  ソース基地局の第１のＳＤＡＰエンティティは、第１のＳＤＡＰエンティティと第２のＳＤＡＰエンティティとの間のデータトンネル（データトンネル＃３と示される）を使用することによって、第１のＰＤＵセッションに属し第１のＳＤＡＰエンティティ内にキャッシュされたデータパケットをターゲット基地局の第２のＳＤＡＰエンティティに送出する。
【０１８９】
任意選択で、方法は、以下のステップをさらに含むことがある。
【０１９０】
Ｓ１１０２  ソース基地局の少なくとも１つのＰＤＣＰエンティティは、データトンネル＃３を使用することによって、第１のＰＤＵセッションに属し少なくとも１つのＰＤＣＰエンティティ内にキャッシュされたデータパケットを第２のＳＤＡＰエンティティに送出する。
【０１９１】
少なくとも１つのＰＤＣＰエンティティは１つまたは複数のＰＤＣＰエンティティを含み、この１つまたは複数のＰＤＣＰエンティティは、第１のＰＤＵセッション内の１つまたは複数のＱｏＳフローと１対１で対応し、少なくとも１つのＰＤＣＰエンティティは、第１のＰＤＵセッションのデータパケット内で転送される必要があるデータパケットをすべてキャッシュすることがある。
【０１９２】
具体的には、少なくとも１つのＰＤＣＰエンティティ内にキャッシュされたデータパケットがない場合、第１のＳＤＡＰは、データトンネル＃３を使用することによって、第１のＰＤＵセッションに属し第１のＳＤＡＰエンティティ内にキャッシュされたデータパケットを第２のＳＤＡＰエンティティに送出する。少なくとも１つのＰＤＣＰエンティティ内にキャッシュされたデータパケットがあるとき、第１のＳＤＡＰおよび少なくとも１つのＰＤＣＰエンティティは、データトンネル＃３を使用することによって、第１のＰＤＵセッションに属し第１のＳＤＡＰエンティティ内にキャッシュされたデータパケットと、第１のＰＤＵに属し少なくとも１つのＰＤＣＰエンティティ内にキャッシュされたデータパケットを、第２のＳＤＡＰエンティティに送出する。
【０１９３】
Ｓ１１０３  ソース基地局は、第１の指示情報をターゲット基地局に送出する。
【０１９４】
任意選択で、第１の指示情報は、エンドマーカパケットであってよい。ソース基地局は第２の指示情報をターゲット基地局に送出し、第２の指示情報はエンドマーカパケットであってよい。
【０１９５】
例えば、少なくとも１つのＰＤＣＰエンティティ内にキャッシュされたデータパケットがなく、第１のＳＤＡＰエンティティ内にキャッシュされたすべてのデータパケットは、ＰＤＣＰ  ＳＮが割り当てられないデータパケットである。この場合、ソース基地局は、データパケット送出の終わりを示すように、エンドマーカパケットを送出することがある。
【０１９６】
別の例では、少なくとも１つのＰＤＣＰエンティティ内にキャッシュされたデータパケットのいずれもＰＤＣＰ  ＳＮが割り当てられず、第１のＳＤＡＰエンティティ内にキャッシュされたすべてのデータパケットは、ＰＤＣＰ  ＳＮが割り当てられないデータパケットである。この場合、ソース基地局は、データパケット送出の終わりを示すように、エンドマーカパケットを送出することがある。
【０１９７】
さらに、第１の指示情報は、少なくとも１つのＰＤＣＰエンティティ内にキャッシュされたデータパケット内の最後のデータパケットのＰＤＣＰ  ＳＮ、または次に割り当てられることになるＰＤＣＰ  ＳＮを含む。
【０１９８】
例えば、少なくとも１つのＰＤＣＰエンティティは、ＰＤＣＰ  ＳＮを少なくとも１つのＰＤＣＰエンティティ内にキャッシュされたすべてのデータパケットに割り当てることがある。この場合、ソース基地局は、第１のＳＤＡＰエンティティ内にキャッシュされたデータパケットを送出することの終わりを示すためにエンドマーカパケットを端末に送出し、少なくとも１つのＰＤＣＰエンティティ内にキャッシュされたデータパケットを送出することの終わりを示すために最後のデータパケットのＰＤＣＰ  ＳＮまたは次に割り当てられることになるＰＤＣＰ  ＳＮを送出することがある。
【０１９９】
Ｓ１１０４  第２のＳＤＡＰエンティティは、データトンネル＃３を使用することによって受信されたデータパケットを端末に送出する。
【０２００】
具体的には、第２のＳＤＡＰは、ＱｏＳフローとＰＤＣＰとの間の対応（またはマッピング関係）に基づいて、第２のＳＤＡＰエンティティによって受信されたデータパケットを対応するＰＤＣＰエンティティに送出し、したがって、ＰＤＣＰエンティティは、物理層を使用することによって端末にデータパケットが送出されるまで、従来技術に関連してデータパケットに対してさらなる処理を実施することがある。
【０２０１】
Ｓ１１０５  第２の指示情報に基づいて、データトンネル＃３を使用することによって受信されたデータパケットがすべて送出されたと決定した後、第２のＳＤＡＰエンティティは、コアネットワークユーザプレーンデバイスから受信されたデータパケットを送出する。
【０２０２】
さらに、ターゲット基地局内のＱｏＳフローとＤＲＢとの間のマッピング関係がソース基地局内のそれと一致しない場合、ＱｏＳフローの順序正しいデータ送信を確実にするために、例えば、ＳＤＡＰエンティティは、ＰＤＵセッションに対応するすべてのＤＲＢのＰＤＣＰエンティティがＰＤＣＰ  ＳＮとともにＰＤＣＰ  ＳＤＵを送出した後、ＰＤＣＰ  ＳＮをＰＤＣＰエンティティに搬送することなくデータパケットを配信することがある。
【０２０３】
さらに、別の実現可能な方式では、ＰＤＣＰ  ＳＮを搬送しＱｏＳフローを含むＰＤＣＰ  ＳＤＵをすべて送出した後、ターゲット基地局のＰＤＣＰエンティティは、ＱｏＳフローのデータパケットがすべて送出されたことをＳＤＡＰエンティティに通知する。次いで、ＳＤＡＰは、ターゲット基地局内のＱｏＳフローとＤＲＢとの間のマッピング関係に基づいて、ＰＤＣＰ  ＳＮを搬送せずＱｏＳフローに属するデータパケットを、ＤＲＢに対応するＰＤＣＰエンティティに配信し始める。
【０２０４】
図１２は、本出願による伝送方法の概略フローチャートである。図１２に示される方法は、デュアルコネクティビティ（ＤＣ）シナリオにおいて端末ハンドオーバプロセスに適用されてよく、具体的には、第１のＰＤＵセッション内の少なくとも１つのＱｏＳフロー（ＱｏＳフロー＃１と示される）がソース基地局からターゲット基地局に転送されるアップリンク送信シナリオに適用されてよい。ソース基地局は、マスタ基地局であってもよいし、セカンダリ基地局であってもよい。対応して、ターゲット基地局は、セカンダリ基地局であってもよいし、マスタ基地局であってもよい。これは、本出願のこの実施形態では限定されない。
【０２０５】
Ｓ１２１０  ソース基地局が、端末はもはや第１のプロトコルデータユニット（ＰＤＵ）セッション内の少なくとも１つのサービス品質（ＱｏＳ）フローのデータパケットをソース基地局に送出しないと決定するとき、ソース基地局は、送出開始情報を生成する。
【０２０６】
Ｓ１２２０  ソース基地局は、送出開始情報をターゲット基地局に送出する。送出開始情報は、少なくとも１つのＱｏＳフローに属し、端末によってターゲット基地局に送出されたデータパケットを、コアネットワークユーザプレーンデバイスに送出するように、ターゲット基地局に命令するために使用される。送出開始情報は、少なくとも１つのＱｏＳフローの識別と、第１のＰＤＵセッションの識別とを含む。または、送出開始情報は、少なくとも１つのＱｏＳフローの識別と、第１のＤＲＢの識別とを含み、第１のＤＲＢは、少なくとも１つのＱｏＳフローに対応する。
【０２０７】
Ｓ１２３０  ターゲット基地局は、少なくとも１つのＱｏＳフローに属し、端末によってターゲット基地局に送出されたデータパケットを、送出開始情報に基づいて、コアネットワークユーザプレーンデバイスに送出する。
【０２０８】
任意選択で、送出開始情報はエンドマーカパケットである、または、送出開始情報は制御プレーンメッセージである。
【０２０９】
図１２に示される伝送方法は、図１３に示される伝送方法を参照しながら詳細に説明される。
【０２１０】
図１３は、本出願による伝送方法の概略フローチャートである。図１３は、本出願の実施形態による伝送方法の概略フローチャートであり、詳細な通信ステップまたは方法の動作を示すが、これらのステップまたは動作は例にすぎないことが理解されるべきである。本出願のこの実施形態では、図１３における他の動作または動作の変形も実施されてよい。さらに、図１３におけるステップは、図１３に示される順序とは異なる順序で実施されてよく、図１３におけるすべての動作が実施されるとは限らないことがある。
【０２１１】
図１３に示される方法は、デュアルコネクティビティ（ＤＣ）シナリオにおいて端末ハンドオーバプロセスに適用されてよく、具体的には、第１のＰＤＵセッション内の少なくとも１つのＱｏＳフロー（ＱｏＳフロー＃１と示される）がソース基地局からターゲット基地局に転送されるアップリンク送信シナリオに適用されてよい。ソース基地局は、マスタ基地局であってもよいし、セカンダリ基地局であってもよい。対応して、ターゲット基地局は、セカンダリ基地局であってもよいし、マスタ基地局であってもよい。これは、本出願のこの実施形態では限定されない。
【０２１２】
本出願のこの実施形態では、ＱｏＳフロー＃１がターゲット基地局に転送される前に、端末は、端末とソース基地局との間のＤＲＢ（ＤＲＢ＃１と示される）の上でＱｏＳフロー＃１のデータパケットをソース基地局に送出し、ＤＲＢ＃１はＱｏＳフロー＃１に対応する。ソース基地局がＱｏＳフロー＃１をターゲット基地局に転送することを希望する場合、ソース基地局とターゲット基地局は、ステップＳ１３０１およびＳ１３０２により相互作用することがある。
【０２１３】
Ｓ１３０１  ソース基地局は第１の要求メッセージをターゲット基地局に送出し、この第１の要求メッセージは、ＱｏＳフロー＃１をターゲット基地局に転送することを要求するために使用される。
【０２１４】
具体的には、ＱｏＳフロー＃１をターゲット基地局に転送することを決定したとき、ソース基地局は、第１の要求メッセージをターゲット基地局に送出し、第１の要求メッセージを使用することによってＱｏＳフロー＃１を受け入れるようにターゲット基地局に要求する。
【０２１５】
任意選択で、第１の要求メッセージは、Ｘｎインターフェイスメッセージであってもよいし、Ｘｎインターフェイスメッセージ内で搬送されてもよい。
【０２１６】
Ｓ１３０２  ターゲット基地局がＱｏＳフロー＃１を受け入れることができる場合、ターゲット基地局は、第１の応答メッセージをソース基地局に送出する。
【０２１７】
例えば、ターゲット基地局が、セルのリソースは、ＱｏＳフロー＃１を満たすリソースを提供することができると決定する場合、ターゲット基地局は、第１の応答メッセージをソース基地局に送出する。
【０２１８】
次いで、データパケット送信が、本出願のこの実施形態における伝送方法により実施されることがある。詳細は、以下で図１３を参照しながら詳細に説明される。
【０２１９】
Ｓ１３０３  ソース基地局は第１の通知メッセージを端末に送出し、第１の通知メッセージは、ＱｏＳフロー＃１のデータパケットをターゲット基地局に送出することを端末に通知するために使用される。
【０２２０】
具体的には、第１の通知メッセージは、ＱｏＳフロー＃１をＤＲＢ＃２にマッピングすることを端末に通知し、ＤＲＢ＃２の上でＱｏＳフロー＃１のデータパケットをターゲット基地局に送出するために使用されることがある。
【０２２１】
代替として、ステップＳ１３０３が実施されないことがあるが、ターゲット基地局は、ＱｏＳフロー＃１のデータパケットをターゲット基地局に送出することを端末に通知することが留意されるべきである。例えば、ターゲット基地局は、ＱｏＳフロー＃１をＤＲＢ＃２にマッピングすることを端末に通知し、ＤＲＢ＃２の上でＱｏＳフロー＃１のデータパケットをターゲット基地局に送出するために、第１の通知メッセージを端末に送出する。
【０２２２】
Ｓ１３０４  端末は、ＱｏＳフロー＃１のデータパケットをターゲット基地局に送出する。
【０２２３】
具体的には、第１の通知メッセージを受信した後、端末は、ＱｏＳフロー＃１のデータパケットをソース基地局に送出することを停止し、ＱｏＳフロー＃１のデータパケットをＤＲＢ＃２の上でターゲット基地局に送出し始める。
【０２２４】
理解と説明を容易にするため、ＱｏＳフロー＃１に属し、端末によってソース基地局に送出されるデータパケットは、以下では、データパケット＃１からデータパケット＃ｉと示される。すなわち、ＱｏＳフロー＃１に属し、端末によってソース基地局に送出されるデータパケットは、順に、データパケット＃１、データパケット＃２、…、およびデータパケット＃ｉであり、ここで、ｉは、１よりも大きいまたはこれに等しい整数である。
【０２２５】
端末が第１の通知メッセージを受信した後、端末は、データパケット＃ｉの後のデータパケットをターゲット基地局に送出し始める。すなわち、端末は、データパケット＃（ｉ＋１）、データパケット＃（ｉ＋２）、…、およびデータパケット＃Ｎをターゲット基地局に連続的に送出する。本出願のこの実施形態では、ＱｏＳフロー＃１のデータパケットの総量がＮであり、ここで、Ｎは２よりも大きいまたはこれに等しい整数であり、データパケット＃Ｎは、ＱｏＳフロー＃１に属し端末によってターゲット基地局に送出されるデータパケットにおける最後のデータパケットであることが仮定される。
【０２２６】
Ｓ１３０５  端末は、エンドパケット情報をソース基地局に送出する。
【０２２７】
エンドパケット情報は、ＱｏＳフロー＃１に属し端末によってソース基地局に送出されるデータパケットにおける、最後のデータパケットについての情報、すなわち、データパケット＃ｉについての情報を示すために使用される。
【０２２８】
任意選択で、エンドパケット情報は、エンドマーカパケットであってよい。エンドマーカパケットは、エンドマーカと、ＱｏＳフロー＃１の識別情報とを含む。
【０２２９】
任意選択で、エンドパケット情報は、データパケット＃ｉに対応するＰＤＣＰシーケンス番号（ＳＮ）であってもよい。
【０２３０】
ステップＳ１３０４およびＳ１３０５を実施する順序は、本出願のこの実施形態では限定されない、すなわち、Ｓ１３０４は、Ｓ１３０５の前に実施されてもよいし、Ｓ１３０５の後に実施されてもよいし、またはＳ１３０５と同時に実施されることが理解されるべきである。
【０２３１】
Ｓ１３０６  ソース基地局は、ＱｏＳフロー＃１に属し、端末によってソース基地局に送出されるデータパケット、すなわち、データパケット＃１からデータパケット＃ｉを、コアネットワークユーザプレーンデバイスに送出する。
【０２３２】
Ｓ１３０７  ソース基地局は、エンドパケット情報に基づいて、データパケット＃１からデータパケット＃ｉがすべて送出されたと決定した後、送出開始情報をターゲット基地局に送出する。
【０２３３】
送出開始情報は、ＱｏＳフロー＃１の識別（ＩＤ）と、第１のＰＤＵセッションのＩＤとを含む、または、送出開始情報は、ＱｏＳフロー＃１の識別と、ＤＲＢ＃２（すなわち、第１のＤＲＢ）のＩＤとを含む。
【０２３４】
送出開始情報は、ＱｏＳフロー＃１に属し端末によってターゲット基地局に送出されるデータパケットをコアネットワークユーザプレーンデバイスに送出し始めるように、ターゲット基地局に命令するために使用される。
【０２３５】
さらに、ソース基地局は、アルゴリズムに基づいて、送出開始情報をターゲット基地局に送出するための時間を決定することがあり、例えば、データ送信レイテンシに基づいて、ターゲット基地局によって送出されたデータパケットがデータパケット＃ｉの前にコアネットワークユーザプレーンデバイスに到達すると推定する。
【０２３６】
Ｓ１３０８  ターゲット基地局は、ＱｏＳフロー＃１に属し、端末によってターゲット基地局に送出されたデータパケットを、送出開始情報に基づいて、コアネットワークユーザプレーンデバイスに送出する。
【０２３７】
具体的には、ソース基地局がデータパケット＃ｉを送出した後、エンドパケットに基づいて、データパケット＃ｉの後にＱｏＳフロー＃１のデータパケットがない、すなわち、端末がもはやＱｏＳフロー＃１のデータパケットをソース基地局に送出しないことがわかった場合、ソース基地局は、送出開始情報をターゲット基地局に送出する。例えば、データパケット＃ｉの後にエンドマーカパケットが続く、またはデータパケット＃ｉのＰＤＣＰ  ＳＮが、端末によってソース基地局に送出されたＰＤＣＰ  ＳＮに等しい場合、ソース基地局は、データパケット＃ｉの後にＱｏＳフロー＃１のデータパケットがないと決定し得る。この場合、ソース基地局は、送出開始情報をターゲット基地局に送出する。送出開始情報を受信した後、ターゲット基地局は、ＤＲＢ＃１の上で端末によって受信されたデータパケット＃（ｉ＋１）からデータパケット＃Ｎをコアネットワークユーザプレーンデバイスに送出し始める。
【０２３８】
任意選択で、送出開始情報は、Ｘｎインターフェイスメッセージであってもよいし、Ｘｎインターフェイスメッセージ内で搬送されてもよい。
【０２３９】
さらに、送出開始情報は、エンドパケット情報、例えば、エンドマーカパケットであってもよいし、データパケット＃ｉに対応するＰＤＣＰ  ＳＮであってもよい。
【０２４０】
ソース基地局は、ソース基地局とターゲット基地局との間のデータ転送トンネルを使用することによって、エンドマーカパケットを送出することがある。ソース基地局は、端末から受信されたエンドマーカパケットをターゲット基地局に送出することがある。代替として、ソース基地局が、単独でエンドマーカパケットを生成することがある。例えば、ソース基地局が、端末はもはやＱｏＳフロー＃１のデータパケットをソース基地局に送出しないと決定した場合、ソース基地局が、エンドマーカパケットを生成することがある。
【０２４１】
さらに、送出開始情報は、ＱｏＳフロー＃１のデータパケットの送信方向を示す指示情報（指示情報＃１と示される）をさらに搬送することがある。指示情報＃１は、ＱｏＳフロー＃１のデータパケットの送信方向がアップリンクであることを示すために使用される。
【０２４２】
本出願のこの実施形態における伝送方法によれば、ソース基地局が、エンドパケット情報に基づいて、ターゲット基地局に転送されることになるＱｏＳフローのデータパケットがすべて端末によってソース基地局に送出され、ソース基地局が、ＱｏＳフローに属し端末から受信されたデータパケットをコアネットワークユーザプレーンデバイスにすべて送出したと決定した後、ソース基地局は、送出開始情報を使用して、ソース基地局からターゲット基地局に転送されたＱｏＳフローのデータパケットをコアネットワークユーザプレーンデバイスに送出するようにターゲット基地局に命令する。次いで、ターゲット基地局は、ＱｏＳフローのデータパケットの順序の乱れを回避するように、送出開始情報に基づいてＱｏＳフローのデータパケットをコアネットワークユーザプレーンデバイスに送出し始める。
【０２４３】
図１４は、本出願の別の実施形態による伝送方法の概略フローチャートである。
【０２４４】
Ｓ１４１０  ソース基地局が、端末は、第１のＰＤＵセッション内の少なくとも１つのサービス品質ＱｏＳフローに属しソース基地局によって送出されるデータパケットを受信したと決定したとき、ソース基地局は、送出開始情報を生成する。
【０２４５】
Ｓ１４２０  ソース基地局は送出開始情報をターゲット基地局に送出し、送出開始情報は、少なくとも１つのＱｏＳフローに属しターゲット基地局によってコアネットワークユーザプレーンデバイスから受信されたデータパケットを端末に送出し始めるようにターゲット基地局に命令するために使用される。送出開始情報は、少なくとも１つのＱｏＳフローの識別と、第１のＰＤＵセッションの識別とを含む。または、送出開始情報は、少なくとも１つのＱｏＳフローの識別と、第１のデータ無線ベアラＤＲＢの識別とを含み、第１のＤＲＢは、少なくとも１つのＱｏＳフローに対応する。
【０２４６】
Ｓ１４３０  ターゲット基地局は、送出開始情報に基づいて、少なくとも１つのＱｏＳフローに属しコアネットワークユーザプレーンデバイスから受信されたデータパケットを端末に送出する。
【０２４７】
任意選択で、送出開始情報はエンドマーカパケットである、または、送出開始情報は制御プレーンメッセージである。
【０２４８】
図１５は、本出願による伝送方法の概略フローチャートである。図１５は、本出願の実施形態による伝送方法の概略フローチャートであり、詳細な通信ステップまたは方法の動作を示すが、これらのステップまたは動作は例にすぎないことが理解されるべきである。本出願のこの実施形態では、図１５における他の動作または動作の変形も実施されてよい。さらに、図１５におけるステップは、図１５に示される順序とは異なる順序で実施されてよく、図１５におけるすべての動作が実施されるとは限らないことがある。
【０２４９】
図１５に示される方法は、デュアルコネクティビティ（ＤＣ）シナリオにおいて端末ハンドオーバプロセスに適用されてよく、具体的には、第１のＰＤＵセッション内の少なくとも１つのＱｏＳフロー（ＱｏＳフロー＃１と示される）がソース基地局からターゲット基地局に転送されるダウンリンク送信シナリオに適用されてよい。ソース基地局は、マスタ基地局であってもよいし、セカンダリ基地局であってもよい。対応して、ターゲット基地局は、セカンダリ基地局であってもよいし、マスタ基地局であってもよい。これは、本出願のこの実施形態では限定されない。
【０２５０】
本出願のこの実施形態では、ＱｏＳフロー＃１がターゲット基地局に転送される前に、端末は、端末とソース基地局との間のＤＲＢ（ＤＲＢ＃１と示される）の上でＱｏＳフロー＃１のデータパケットをソース基地局に送出し、ＤＲＢ＃１はＱｏＳフロー＃１に対応する。ソース基地局がＱｏＳフロー＃１をターゲット基地局に転送することを希望する場合、ソース基地局とターゲット基地局は、ステップＳ１５０１およびＳ１５０２により相互作用することがある。
【０２５１】
Ｓ１５０１  ソース基地局は第１の要求メッセージをターゲット基地局に送出し、この第１の要求メッセージは、ＱｏＳフロー＃１をターゲット基地局に転送することを要求するために使用される。
【０２５２】
具体的には、ＱｏＳフロー＃１をターゲット基地局に転送することを決定したとき、ソース基地局は、第１の要求メッセージをターゲット基地局に送出し、第１の要求メッセージを使用することによってＱｏＳフロー＃１を受け入れるようにターゲット基地局に要求する。
【０２５３】
Ｓ１５０２  ターゲット基地局がＱｏＳフロー＃１を受け入れることができる場合、ターゲット基地局は、第１の応答メッセージをソース基地局に送出する。
【０２５４】
次いで、データパケット送信が、本出願のこの実施形態における伝送方法により実施されることがある。詳細は、以下で図１５を参照しながら詳細に説明される。ターゲット基地局またはソース基地局は、ＱｏＳフロー＃１のターゲットルーティングアドレスを変更するようにコアネットワークに命令するために、ルート変更メッセージをコアネットワークのネットワーク要素に送出する。
【０２５５】
Ｓ１５０３  ソース基地局は、エンド指示情報を端末に送出する。
【０２５６】
具体的には、ソース基地局が、ターゲット基地局がＱｏＳフロー＃１を受け入れることができると決定したとき、例えば、ステップＳ１５０２における第１の応答メッセージに基づいて、ターゲット基地局がＱｏＳフロー＃１を受け入れることができると決定したとき、ソース基地局は、ＱｏＳフロー＃１のデータパケットを端末に送出することを停止し、エンド指示情報を端末に送出し、エンド指示情報を使用して、ＱｏＳフロー＃１のデータパケットの送信を終了するようにソース基地局に命令する。
【０２５７】
任意選択で、エンド指示情報は、エンドマーカパケットであってよい。エンドマーカパケットは、ＱｏＳフロー＃１のＩＤを搬送する。
【０２５８】
エンドマーカパケットは空のデータパケットであってよい。さらに、空のデータパケットのカプセル化ヘッダが、エンドマーカを搬送することがある。例えば、エンドマーカは、ＳＤＡＰまたはＰＤＣＰ拡張ヘッダ内で搬送されることがある。
【０２５９】
任意選択で、エンド指示情報は、データパケット＃ｉに対応するＰＤＣＰ  ＳＮであってよい。端末がＰＤＣＰ  ＳＮの前にデータパケットをうまく受信した場合、ＱｏＳフロー＃１に属しソース基地局によって送出されたデータパケットがすべて受信されたことが決定されることがある。
【０２６０】
さらに、ＵＰＦは、ＱｏＳフローに属しＵＰＦによってＭＮに送出されたデータパケットを送出することの終わりを示すために、ＱｏＳフローのデータパケットのエンドマーカを、ＭＮに送出されたデータパケットに追加する。ＵＰＦは、ＭＮによってコアネットワークに送出されたＱｏＳフロー転送指示情報に基づいて、ＱｏＳフローのエンドマーカをセットすることがある。さらに、ＵＰＦは、ＳＮによってコアネットワークに送出される経路切替え指示に基づいて、ＱｏＳフローのエンドマーカをさらにセットすることがある。経路切替え指示は、ＵＰＦがＱｏＳフローのデータパケットをＳＮに送出し始めることがあることを示すために使用される。このようにして、ＭＮは、ＱｏＳフロー＃１に属しＵＰＦから受信されたデータパケットを送出することの終わりを決定する。
【０２６１】
理解と説明を容易にするため、ＱｏＳフロー＃１に属し、ＤＲＢ＃１の上でソース基地局によって端末に送出されるデータパケットは、以下では、データパケット＃１からデータパケット＃ｉと示される。すなわち、ＱｏＳフロー＃１に属し、ソース基地局によって端末に送出されるデータパケットは、順に、データパケット＃１、データパケット＃２、…、およびデータパケット＃ｉであり、ここで、ｉは、１よりも大きいまたはこれに等しい整数である。ソース基地局がデータパケット＃ｉを送出した後、ソース基地局は、エンド指示情報を端末に送出する。ＤＲＢ＃１はＱｏＳフロー＃１に対応する、または、マッピング関係がＤＲＢ＃１とＱｏＳフロー＃１との間に存在することが理解されるべきである。
【０２６２】
Ｓ１５０４  ソース基地局は、端末によって送出されたフィードバック情報を受信する。
【０２６３】
端末が、データパケット＃１からデータパケット＃ｉをうまく受信し、ソース基地局によって送出されたエンド指示情報に基づいて、ＱｏＳフロー＃１に属しソース基地局によって送出されたデータパケットがすべてうまく受信されたと決定した場合、端末は、フィードバック情報をソース基地局に送出する。
【０２６４】
Ｓ１５０５  ソース基地局は、フィードバック情報に基づいて、送出開始情報をターゲット基地局に送出する。
【０２６５】
送出開始情報は、ＱｏＳフロー＃１に属しコアネットワークユーザプレーンデバイスによってターゲット基地局に送出されるデータパケットを端末に送出するようにターゲット基地局に命令するために使用される。送出開始情報は、ＱｏＳフロー＃１の識別と、第１のＰＤＵセッションのＩＤとを含む、または、送出開始情報は、ＱｏＳフロー＃１の識別と、第１のＤＲＢ（ＤＲＢ＃２と示される）のＩＤとを含み、ＤＲＢ＃２は、ＱｏＳフロー＃１に対応する。
【０２６６】
理解と説明を容易にするため、ＱｏＳフロー＃１に属し、コアネットワークユーザプレーンデバイスによってターゲット基地局に送出されるデータパケットは、以下では、データパケット＃（ｉ＋１）からデータパケット＃Ｎと示され、ここで、Ｎは、２よりも大きいまたはこれに等しい整数である。すなわち、ＱｏＳフロー＃１に属しコアネットワークユーザプレーンデバイスによってターゲット基地局に送出されるデータパケットは、順に、データパケット＃（ｉ＋１）、データパケット＃（ｉ＋２）、…、およびデータパケット＃Ｎである。
【０２６７】
Ｓ１５０６  ターゲット基地局は、送出開始情報に基づいて、データパケット＃（ｉ＋１）からデータパケット＃Ｎを端末に送出する。
【０２６８】
具体的には、ソース基地局が、端末によって送出されたフィードバック情報を受信した後、ソース基地局は、送出開始情報をターゲット基地局に送出する。ターゲット基地局が送出開始情報を受信した後、ソース基地局が、ＱｏＳフロー＃１に属しコアネットワークユーザプレーンデバイスから受信されたデータパケットをすべて送出したこと、および端末も、これらのデータパケットをうまく受信したことが決定されることがある。次いで、ターゲット基地局が、ＤＲＢ＃１の上でデータパケット＃（ｉ＋１）からデータパケット＃Ｎを端末に送出し始める。
【０２６９】
任意選択で、送出開始情報は、エンド指示情報、例えば、エンドマーカパケットであってもよいし、データパケット＃ｉに対応するＰＤＣＰ  ＳＮであってもよい。
【０２７０】
ソース基地局は、ソース基地局とターゲット基地局との間のデータ転送トンネルを使用することによって、エンドマーカパケットを送出することがある。エンドマーカパケットは空のデータパケットであってよい。さらに、空のデータパケットのカプセル化ヘッダが、エンドマーカを搬送する。例えば、エンドマーカは、ＧＴＰＵ拡張ヘッダ内で搬送される。
【０２７１】
本出願のこの実施形態における伝送方法によれば、ソース基地局が、フィードバック情報に基づいて、端末は、ＱｏＳフローに属しソース基地局によって送出されたデータパケットをうまく受信したと決定した後、ソース基地局は、送出開始情報を使用して、ＱｏＳフローに属しコアネットワークユーザプレーンデバイスから受信されたデータパケットを端末に送出し始めるようにターゲット基地局に命令し、ターゲット基地局は、ＱｏＳフローのデータパケットの順序の乱れを回避するように、送出開始情報に基づいてＱｏＳフローのデータパケットを端末に送出し始める。
【０２７２】
図１６は、本出願による伝送方法の概略フローチャートである。図１６は、本出願の実施形態による伝送方法の概略フローチャートであり、詳細な通信ステップまたは方法の動作を示すが、これらのステップまたは動作は例にすぎないことが理解されるべきである。本出願のこの実施形態では、図１６における他の動作または動作の変形も実施されてよい。さらに、図１６におけるステップは、図１６に示される順序とは異なる順序で実施されてよく、図１６におけるすべての動作が実施されるとは限らないことがある。
【０２７３】
図１６に示される方法は、デュアルコネクティビティ（ＤＣ）シナリオにおいて端末ハンドオーバプロセスに適用されてよく、具体的には、第１のＰＤＵセッション内の少なくとも１つのＱｏＳフロー（ＱｏＳフロー＃１と示される）がソース基地局からターゲット基地局に転送されるダウンリンク送信シナリオに適用されてよい。ソース基地局は、マスタ基地局であってもよいし、セカンダリ基地局であってもよい。対応して、ターゲット基地局は、セカンダリ基地局であってもよいし、マスタ基地局であってもよい。これは、本出願のこの実施形態では限定されない。
【０２７４】
本出願のこの実施形態では、ＱｏＳフロー＃１がターゲット基地局に転送される前に、端末は、端末とソース基地局との間のＤＲＢ（ＤＲＢ＃１と示される）の上でＱｏＳフロー＃１のデータパケットをソース基地局に送出し、ＤＲＢ＃１はＱｏＳフロー＃１に対応する。ソース基地局がＱｏＳフロー＃１をターゲット基地局に転送することを希望する場合、ソース基地局とターゲット基地局は、ステップＳ１６０１およびＳ１６０２により相互作用することがある。
【０２７５】
Ｓ１６０１  ソース基地局は第１の要求メッセージをターゲット基地局に送出し、この第１の要求メッセージは、ＱｏＳフロー＃１をターゲット基地局に転送することを要求するために使用される。
【０２７６】
具体的には、ＱｏＳフロー＃１をターゲット基地局に転送することを決定したとき、ソース基地局は、第１の要求メッセージをターゲット基地局に送出し、第１の要求メッセージを使用することによってＱｏＳフロー＃１を受け入れるようにターゲット基地局に要求する。
【０２７７】
任意選択で、第１の指示情報は、Ｘｎインターフェイスメッセージを使用することによって送出されることがある。
【０２７８】
Ｓ１６０２  ターゲット基地局がＱｏＳフロー＃１を受け入れることができる場合、ターゲット基地局は、第１の応答メッセージをソース基地局に送出する。
【０２７９】
次いで、データパケット送信が、本出願のこの実施形態における伝送方法により実施されることがある。詳細は、以下で図１６を参照しながら詳細に説明される。
【０２８０】
Ｓ１６０３  ソース基地局は、エンド指示情報を端末に送出する。
【０２８１】
具体的には、ソース基地局が、ターゲット基地局はＱｏＳフロー＃１を受け入れることができると決定するとき、例えば、ステップＳ１６０２における第１の応答メッセージに基づいて、ターゲット基地局はＱｏＳフロー＃１を受け入れることができると決定するとき、ソース基地局は、ＱｏＳフロー＃１のデータパケットをソース基地局に送出することを停止し、エンド指示情報を端末に送出し、エンド指示情報を使用して、ＱｏＳフロー＃１のデータパケットの送信を終了するようにソース基地局に命令する。
【０２８２】
任意選択で、エンド指示情報は、エンドマーカパケットであってよい。エンドマーカパケットは、ＱｏＳフロー＃１のＩＤを搬送する。
【０２８３】
エンドマーカパケットは空のデータパケットであってよい。さらに、空のデータパケットのカプセル化ヘッダが、エンドマーカを搬送することがある。例えば、エンドマーカは、ＳＤＡＰヘッダまたはＰＤＣＰヘッダ内で搬送されることがある。
【０２８４】
任意選択で、エンド指示情報は、データパケット＃ｉに対応するＰＤＣＰ  ＳＮであってよい。端末がＰＤＣＰ  ＳＮの前にデータパケットをうまく受信した場合、ＱｏＳフロー＃１に属しソース基地局によって送出されたデータパケットがすべて受信されたことが決定されることがある。
【０２８５】
理解と説明を容易にするため、ＱｏＳフロー＃１に属し、ＤＲＢ＃１の上でソース基地局によって端末に送出されるデータパケットは、以下では、データパケット＃１からデータパケット＃ｉと示される。すなわち、ＱｏＳフロー＃１に属し、ソース基地局によって端末に送出されるデータパケットは、順に、データパケット＃１、データパケット＃２、…、およびデータパケット＃ｉであり、ここで、ｉは、１よりも大きいまたはこれに等しい整数である。ソース基地局がデータパケット＃ｉを送出した後、ソース基地局は、エンド指示情報を端末に送出する。ＤＲＢ＃１はＱｏＳフロー＃１に対応する、または、マッピング関係がＤＲＢ＃１とＱｏＳフロー＃１との間に存在することが理解されるべきである。
【０２８６】
Ｓ１６０４  ソース基地局は、端末によって送出されたフィードバック情報を受信する。
【０２８７】
端末が、データパケット＃１からデータパケット＃ｉをうまく受信し、ソース基地局によって送出されたエンド指示情報に基づいて、ＱｏＳフロー＃１に属しソース基地局によって送出されたデータパケットがすべてうまく受信されたと決定した場合、端末は、フィードバック情報をソース基地局に送出する。
【０２８８】
Ｓ１６０５  ターゲット基地局は、ＱｏＳフロー＃１に属しコアネットワークユーザプレーンデバイスから受信されたデータパケット、すなわち、データパケット＃（ｉ＋１）からデータパケット＃Ｎを、端末に送出する。
【０２８９】
理解と説明を容易にするため、ＱｏＳフロー＃１に属し、コアネットワークユーザプレーンデバイスによってターゲット基地局に送出されるデータパケットは、以下では、データパケット＃（ｉ＋１）からデータパケット＃Ｎと示され、ここで、Ｎは、２よりも大きいまたはこれに等しい整数である。すなわち、ＱｏＳフロー＃１に属しコアネットワークユーザプレーンデバイスによってターゲット基地局に送出されるデータパケットは、順に、データパケット＃（ｉ＋１）、データパケット＃（ｉ＋２）、…、およびデータパケット＃Ｎである。
【０２９０】
ステップＳ１６０５およびＳ１６０４を実施する順序は本出願では限定されず、ステップＳ１６０５とＳ１６０４が同時に実施されてもよいし、一方のステップが他方の前に実施されてもよいことが理解されるべきである。
【０２９１】
Ｓ１６０６  ＱｏＳフロー＃１に属しソース基地局およびターゲット基地局によって送出されたデータパケットを受信した後、端末は、最初に、ＱｏＳフロー＃１に属しソース基地局から受信されたデータパケットを上位プロトコル層に配信し、次いで、ＱｏＳフロー＃１に属しターゲット基地局から受信されたデータパケットを配信する。すなわち、端末は、最初に、データパケット＃１からデータパケット＃Ｎを上位プロトコル層に配信し、次いで、データパケット＃（ｉ＋１）からデータパケット＃Ｎを配信する。本明細書では、端末が、例えばエンドマーカパケットを使用することによって、ソース基地局によって送出されたエンド指示情報に基づいて、ＱｏＳフロー＃１に属しソース基地局から受信されたデータパケットを送出することの終わりを決定することがある。
【０２９２】
本出願のこの実施形態における伝送方法によれば、端末は、ソース基地局によって送出されたエンドマーカ情報に基づいて、ＱｏＳフローに属しソース基地局から受信されたデータパケットを上位プロトコル層に配信し、次いで、ＱｏＳフローに属しターゲット基地局から受信されたデータパケットを配信することがある。したがって、ＱｏＳフローがソース基地局からターゲット基地局に転送されるプロセスでは、ＱｏＳフローのデータパケットの順序正しい送信が実施可能であり、それによって、サービスの品質を確実にし、データパケットの順序の乱れによって引き起こされるサービス品質劣化を回避することができる。
【０２９３】
前述の方法によれば、図１７は、本出願の実施形態によるデータ伝送装置１０の概略図である。図１７に示されるように、装置１０は、端末デバイスであってもよいし、チップまたは回路であってもよい、例えば、端末内に配置されたチップまたは回路であってもよい。端末デバイスは、前述の方法における端末デバイスに相当し得る。
【０２９４】
装置１０は、プロセッサ１１（すなわち、処理ユニットの例）と、メモリ１２とを含むことがある。メモリ１２は、命令を記憶するように構成され、プロセッサ１１は、メモリ１２内に記憶された命令を実行するように構成され、したがって、装置１０は、前述の方法において端末デバイスによって実施されるステップを実施する。
【０２９５】
さらに、装置１０は、入力インターフェイス１３（すなわち、通信ユニットの例）と、出力インターフェイス１４（すなわち、通信ユニットの別の例）とをさらに含むことがある。さらに、プロセッサ１１、メモリ１２、入力インターフェイス１３、および出力インターフェイス１４は、制御信号および／またはデータ信号を送信するために、内部接続経路を使用することによって、互いと通信し得る。前述の方法における端末デバイスのステップを完了するように、信号を受信するように入力インターフェイス１３を制御し、信号を送出するように出力インターフェイス１４を制御するために、メモリ１２は、コンピュータプログラムを記憶するように構成され、プロセッサ１１は、メモリ１２からコンピュータプログラムを呼び出してコンピュータプログラムを走らせるように構成されることがある。メモリ１２は、プロセッサ１１内で統合されてもよいし、プロセッサ１１とは別であってもよい。
【０２９６】
任意選択で、装置１０が端末デバイスである場合、入力インターフェイス１３は受信機であり、出力インターフェイス１４は送信機である。受信機と送信機は、同じ物理エンティティであってもよいし、異なる物理エンティティであってもよい。同じ物理エンティティであるとき、受信機と送信機は、トランシーバと総称されることがある。
【０２９７】
任意選択で、装置１０がチップまたは回路である場合、入力インターフェイス１３は入力インターフェイスであり、出力インターフェイス１４は出力インターフェイスである。
【０２９８】
実装では、入力インターフェイス１３および出力インターフェイス１４の機能は、トランシーバ回路または専用トランシーバチップを使用することによって実施されることがある。プロセッサ１１は、専用処理チップ、処理回路、プロセッサ、または汎用チップを使用することによって実施されてよい。
【０２９９】
別の実装では、本出願のこの実施形態において提供される端末デバイスは、汎用コンピュータを使用することによって実施されることがある。具体的に言えば、プロセッサ１１、入力インターフェイス１３、および出力インターフェイス１４の機能を実施するためのプログラムコードがメモリ１２内に記憶され、汎用プロセッサは、メモリ１２内のコードを実行することによって、プロセッサ１１、入力インターフェイス１３、および出力インターフェイス１４の機能を実施する。
【０３００】
通信装置１０内の前述のリストされたモジュールまたはユニットの機能またはアクションは例にすぎず、通信装置１０内のモジュールまたはユニットは、前述の方法のいずれか１つにおいて端末デバイスによって実施されるアクションまたは処理プロセスを実施するように構成されることがある。繰り返しを回避するために、詳細は、本明細書では省略される。
【０３０１】
本出願のこの実施形態において提供される装置１０の技術的解決策に関連する概念、説明、詳細、および他のステップについては、別の実施形態における内容についての前述の方法または説明を参照されたい。詳細は、本明細書では再度説明されない。
【０３０２】
図１８は、本出願による端末デバイス２０の概略構造図である。端末デバイス２０は、前述の方法のいずれか１つにおいて説明される端末デバイスのアクションを実施するように構成されてよい。説明を容易にするため、図１８は、端末デバイスの主要な構成要素を示す。図１８に示されるように、端末デバイス２０は、プロセッサと、メモリと、制御回路と、アンテナと、入出力装置とを含む。
【０３０３】
プロセッサは、主に、通信プロトコルおよび通信データを処理し、端末デバイス全体を制御し、ソフトウェアプログラムを実行し、ソフトウェアプログラムのデータを処理するように構成される、例えば、端末デバイスが、送信プリコーディング行列の前述の指示方法実施形態において説明されたアクションを実施することを可能にするように構成される。メモリは、主に、ソフトウェアプログラムおよびデータを記憶する、例えば、前述の実施形態において説明されたコードブックを記憶するように構成される。制御回路は、主に、ベースバンド信号と無線周波信号との変換を実施し、無線周波信号を処理するように構成される。制御回路は、アンテナとともに、トランシーバとも呼ばれることもあり、主に、電磁波の形で無線周波信号を送出し、受信するように構成される。タッチスクリーン、ディスプレイスクリーン、またはキーボードなどの入出力装置は、主に、ユーザによって入力されたデータおよびユーザによって出力されたデータを受信するように構成される。
【０３０４】
端末デバイスがパワーオンされた後、プロセッサは、記憶ユニット内のソフトウェアプログラムを読み込み、ソフトウェアプログラムの命令を解釈および実行し、ソフトウェアプログラムのデータを処理し得る。データがワイヤレスで送出される必要があるとき、プロセッサは、送出されることになるデータに対してベースバンド処理を実施し、ベースバンド信号を無線周波数回路に出力する。無線周波数回路は、ベースバンド信号に対して無線周波数処理を実施し、電磁波の形でアンテナを使用することによって無線周波信号を送出する。データが端末デバイスに送出されるとき、無線周波数回路は、アンテナを使用することによって無線周波信号を受信し、無線周波信号をベースバンド信号へと変換し、ベースバンド信号をプロセッサに出力し、プロセッサは、ベースバンド信号をデータへと変換して、そのデータを処理する。
【０３０５】
当業者は、説明を容易にするため、図１８は、１つのメモリおよび１つのプロセッサを示しているにすぎないことを理解し得る。実際の端末デバイスでは、複数のプロセッサおよびメモリがあることがある。メモリは、記憶媒体または記憶デバイスとも呼ばれることがある。これは、本出願のこの実施形態では限定されない。
【０３０６】
任意選択の実装では、プロセッサが、ベースバンドプロセッサと、中央プロセッサとを含むことがある。ベースバンドプロセッサは、主に、通信プロトコルおよび通信データを処理するように構成され、中央プロセッサは、主に、端末デバイス全体を制御し、ソフトウェアプログラムを実行し、ソフトウェアプログラムのデータを処理するように構成される。図１８におけるプロセッサは、ベースバンドプロセッサと中央処理ユニットの機能を統合する。当業者は、ベースバンドプロセッサおよび中央処理ユニットは、代替として、独立したプロセッサであってよく、バスまたは別の技術を使用することによって相互接続されてよいことを理解し得る。当業者は、端末デバイスが、異なるネットワーク規格に適合するために複数のベースバンドプロセッサを含んでもよいし、端末デバイスが、その処理能力を強化するために複数の中央プロセッサを含んでもよく、端末デバイスの構成要素は、さまざまなバスを使用することによって接続されてよいことを理解し得る。ベースバンドプロセッサは、ベースバンド処理回路またはベースバンド処理チップとも表現されることがある。中央プロセッサは、中央処理回路または中央処理チップとも表現されることがある。通信プロトコルおよび通信データを処理する機能は、プロセッサに埋め込まれてもよいし、ソフトウェアプログラムの形で記憶ユニット内に記憶されてもよく、プロセッサは、ソフトウェアプログラムを実行して、ベースバンド処理機能を実施する。
【０３０７】
例えば、本出願のこの実施形態では、送出および受信機能を有するアンテナおよび制御回路は、端末デバイス２０のトランシーバユニット２０１とみなされてよく、処理機能を有するプロセッサは、端末デバイス２０の処理ユニット２０２とみなされる。図４に示されるように、端末デバイス２０は、トランシーバユニット２０１と、処理ユニット２０２とを含む。トランシーバユニットは、トランシーバ、トランシーバデバイス、トランシーバ装置などとも呼ばれることがある。任意選択で、トランシーバユニット２０１内の受信機能を実施するためのデバイスは、受信ユニットとみなされてよく、トランシーバユニット２０１内の送出機能を実施するためのデバイスは、送出ユニットとみなされる、すなわち、トランシーバユニット２０１は、受信ユニットと、送出ユニットとを含む。例えば、受信ユニットは、受信機、受信機デバイス、または受信機回路とも呼ばれることがあり、送出ユニットは、送信機、送信機デバイス、または送信機回路と呼ばれることがある。
【０３０８】
前述の方法によれば、図１９は、本出願の実施形態によるデータ伝送装置３０の概略図２である。図１９に示されるように、装置３０は、ネットワークデバイスであってもよいし、チップまたは回路であってもよい、例えば、ネットワークデバイス内に配置されたチップまたは回路であってもよい。ネットワークデバイスは、前述の方法のいずれか１つにおけるネットワークデバイスに対応する。
【０３０９】
装置３０は、プロセッサ３１（すなわち、処理ユニットの例）と、メモリ３２とを含むことがある。メモリ３２は、命令を記憶するように構成され、プロセッサ３１は、メモリ３２内に記憶された命令を実行するように構成され、したがって、装置３０は、前述の方法のいずれか１つにおいてネットワークデバイスによって実施されるステップを実施する。
【０３１０】
さらに、装置３０は、入力インターフェイス３３（すなわち、通信ユニットの例）と、出力インターフェイス３４（すなわち、処理ユニットの別の例）とをさらに含むことがある。またさらに、プロセッサ３１、メモリ３２、入力インターフェイス３３、および出力インターフェイス３４は、制御信号および／またはデータ信号を送信するために、内部接続経路を使用することによって、互いと通信し得る。前述の方法２００におけるネットワークデバイスのステップを完了するように、信号を受信するように入力インターフェイス３３を制御し、信号を送出するように出力インターフェイス３４を制御するために、メモリ３２は、コンピュータプログラムを記憶するように構成され、プロセッサ３１は、メモリ３２からコンピュータプログラムを呼び出してコンピュータプログラムを走らせるように構成されることがある。前述の方法におけるネットワークデバイスのステップを完了するように、信号を受信するように入力インターフェイス３３を制御し、信号を送出するように出力インターフェイス３４を制御するために、メモリ３２は、プロセッサ３１内で統合されてもよいし、プロセッサ３１とは別であってもよい。メモリ３２は、プロセッサ３１内で統合されてもよいし、プロセッサ３１とは別であってもよい。
【０３１１】
任意選択で、装置３０がネットワークデバイスである場合、入力インターフェイス３３は受信機であり、出力インターフェイス３４は送信機である。受信機と送信機は、同じ物理エンティティであってもよいし、異なる物理エンティティであってもよい。同じ物理エンティティであるとき、受信機と送信機は、トランシーバと総称されることがある。
【０３１２】
任意選択で、装置３０がチップまたは回路である場合、入力インターフェイス３３は入力インターフェイスであり、出力インターフェイス３４は出力インターフェイスである。
【０３１３】
任意選択で、装置３０がチップまたは回路である場合、装置３０はまたメモリ３２を含まないことがあり、プロセッサ３１は、前述の方法のいずれか１つにおけるネットワークデバイスの機能を実施するために、チップの外部メモリ内の命令（プログラムまたはコード）を読み取ることがある。
【０３１４】
実装では、入力インターフェイス３３および出力インターフェイス３４の機能は、トランシーバ回路または専用トランシーバチップを使用することによって実施されることがある。プロセッサ３１は、専用処理チップ、処理回路、プロセッサ、または汎用チップを使用することによって実施されてよい。
【０３１５】
別の実装では、本出願のこの実施形態において提供されるネットワークデバイスは、汎用コンピュータを使用することによって実施されることがある。具体的に言えば、プロセッサ３１、入力インターフェイス３３、および出力インターフェイス３４の機能を実施するためのプログラムコードがメモリ内に記憶され、汎用プロセッサは、メモリ内のコードを実行することによって、プロセッサ３１、入力インターフェイス３３、および出力インターフェイス３４の機能を実施する。
【０３１６】
通信装置３０内のモジュールまたはユニットは、前述の方法のいずれか１つにおいてネットワークデバイスによって実施されるさまざまなアクションまたは処理プロセスを実施するように構成されてよい。繰り返しを回避するために、詳細は、本明細書では省略される。
【０３１７】
本出願のこの実施形態において提供される装置３０の技術的解決策に関連する概念、説明、詳細、および他のステップについては、別の実施形態における内容についての前述の方法または説明を参照されたい。詳細は、本明細書では再度説明されない。
【０３１８】
図２０は、本出願の実施形態によるネットワークデバイスの概略構造図である。ネットワークデバイスは、前述の方法のいずれか１つにおけるネットワークデバイスの機能を実施するように構成されてよい。例えば、図２０は、基地局の概略構造図であってよい。図２０に示されるように、基地局は、図１に示されるシステムに適用されることがある。基地局４０は、１つまたは複数の無線周波数ユニット、例えば、リモート無線ユニット（ＲＲＵ）４０１と、１つまたは複数のベースバンドユニット（ＢＢＵ）（デジタルユニット、ｄｉｇｉｔａｌ  ｕｎｉｔ（ＤＵ）とも呼ばれることがある）４０２とを含む。ＲＲＵ４０１は、トランシーバユニット、トランシーバ、トランシーバ回路、トランシーバデバイスなどと呼ばれることがあり、少なくとも１つのアンテナ４０１１と、無線周波数ユニット４０１２とを含むことがある。ＲＲＵ４０１は、主に、無線周波信号を送出し、受信し、無線周波信号とベースバンド信号との変換を実施するように構成される、例えば、前述の実施形態において説明された信号メッセージを端末デバイスに送出するように構成される。ＢＢＵ４０２は、主に、ベースバンド処理を実施し、基地局を制御する、などを行うように構成される。ＲＲＵ４０１とＢＢＵ４０２は、物理的に一緒に配置されてもよいし、物理的に別個であってもよい、すなわち、分散基地局であってもよい。
【０３１９】
ＢＢＵ４０２は、基地局の制御センターであり、処理ユニットとも呼ばれることがあり、主に、チャネルコーディング、多重化、変調、およびスペクトラム拡散などのベースバンド処理機能を実施するように構成される。例えば、ＢＢＵ（処理ユニット）４０２は、前述の方法実施形態におけるネットワークデバイスの動作手順を実施するように基地局４０を制御するために使用されることがある。
【０３２０】
例では、ＢＢＵ４０２は、１つまたは複数のボードを含むことがあり、複数のボードは、単一無線アクセス技術の無線アクセスネットワーク（ＬＴＥシステムまたは５Ｇシステムなど）を共同でサポートしてもよいし、異なる無線アクセス技術の無線アクセスネットワークをサポートしてもよい。ＢＢＵ４０２は、メモリ４０２１と、プロセッサ４０２２とをさらに含む。メモリ４０２１は、必要な命令およびデータを記憶するように構成される。例えば、メモリ４０２１は、前述の実施形態においてコードブックを記憶する。プロセッサ４０２２は、必要な動作を実施するように基地局を制御するように構成され、例えば、前述の方法実施形態におけるネットワークデバイスの動作手順を実施するように基地局を制御するように構成される。メモリ４０２１およびプロセッサ４０２２は、１つまたは複数のボードにサービスすることがある。言い換えれば、メモリおよびプロセッサは、各ボード上で別々に構成されることがある。代替として、同じメモリおよびプロセッサが、複数のボード上で、共同で構成されることがある。さらに、必要な回路が各ボード上で配置されてよい。
【０３２１】
可能な実装では、システムオンチップ（ＳｏＣ）技術の開発とともに、４０２部分および４０１部分の機能のうちのいくつかまたはすべてが、ＳｏＣ技術によって実施されることがある、例えば、基地局機能チップによって実施されることがある。基地局機能チップは、プロセッサ、メモリ、およびアンテナインターフェイスなどのデバイスを統合し、基地局の関連機能のプログラムはメモリ内に記憶され、プロセッサは、基地局の関連機能を実施するためにプログラムを実行する。任意選択で、基地局機能チップは、基地局の関連機能を実施するために、チップの外部メモリを読み取ることもできる。
【０３２２】
図２０に示される基地局の構造は可能な形にすぎず、本出願の実施形態に対する限定と解釈されるべきでないことが理解されるべきである。本出願は、将来生じ得る他の形の基地局構造の可能性を排除しない。
【０３２３】
本出願の実施形態において提供される方法によれば、本出願の実施形態は、通信システムをさらに提供し、この通信システムは、前述のネットワークデバイスと、１つまたは複数の端末デバイスとを含む。
【０３２４】
本出願の実施形態では、プロセッサは中央処理ユニット（ＣＰＵ）であってもよいし、プロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブル論理デバイス、ディスクリートゲートもしくはトランジスタ論理デバイス、ディスクリートハードウェア／構成要素などであってもよいことが理解されるべきである。汎用プロセッサはマイクロプロセッサであってよく、プロセッサは、任意の従来のプロセッサなどであってよい。
【０３２５】
本出願の実施形態におけるメモリは、揮発性メモリであってもよいし、不揮発性メモリであってもよいし、揮発性メモリと不揮発性メモリとを含んでもよいことがさらに理解され得る。不揮発性メモリは、読み出し専用メモリ（ＲＯＭ）であってもよいし、プログラマブル読み出し専用メモリ（ｐｒｏｇｒａｍｍａｂｌｅ  ＲＯＭ、ＰＲＯＭ）であってもよいし、消去可能プログラマブル読み出し専用メモリ（ｅｒａｓａｂｌｅ  ＰＲＯＭ、ＥＰＲＯＭ）であってもよいし、電気的消去可能プログラマブル読み出し専用メモリ（ｅｌｅｃｔｒｉｃａｌｌｙ  ＥＰＲＯＭ、ＥＥＰＲＯＭ）であってもよいし、フラッシュメモリであってもよい。揮発性メモリは、外部キャッシュとして使用されるランダムアクセスメモリ（ＲＡＭ）であってよい。制限的な説明ではなく例を通して、多くの形のランダムアクセスメモリ（ＲＡＭ）、例えば、スタティックランダムアクセスメモリ（ＳＲＡＭ）、ダイナミックランダムアクセスメモリ（ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｌｉｎｋ  ＤＲＡＭ、ＳＬＤＲＡＭ）、およびダイレクトランバスダイナミックランダムアクセスメモリ（ｄｉｒｅｃｔ  ｒａｍｂｕｓ  ＲＡＭ、ＤＲ  ＲＡＭ）が使用されてよい。
【０３２６】
前述の実施形態のすべてまたはいくつかは、ソフトウェア、ハードウェア、ファームウェア、またはそれらの任意の組み合わせを使用することによって実施され得る。ソフトウェアが実施形態を実施するために使用されるとき、前述の実施形態は、コンピュータプログラム製品の形で完全にまたは部分的に実施されることがある。コンピュータプログラム製品は、１つまたは複数のコンピュータ命令またはコンピュータプログラムを含む。コンピュータプログラム命令またはコンピュータプログラムがコンピュータ上でロードおよび実行されるとき、本出願の実施形態による手順または機能が、すべてまたは部分的に生成される。コンピュータは、汎用コンピュータであってもよいし、専用コンピュータであってもよいし、コンピュータネットワークであってもよいし、他のプログラマブル装置であってもよい。コンピュータ命令は、コンピュータ可読記憶媒体内に記憶されてもよいし、コンピュータ可読記憶媒体から別のコンピュータ可読記憶媒体に送信されてもよい。例えば、コンピュータ命令は、ウェブサイト、コンピュータ、サーバ、またはデータセンタから、別のウェブサイト、コンピュータ、サーバ、またはデータセンタにワイヤード（例えば、赤外線、無線、およびマイクロ波）方式で送信されることがある。コンピュータ可読記憶媒体は、１つまたは複数の使用可能な媒体を統合する、コンピュータ、またはサーバもしくはデータセンタなどのデータ記憶デバイスにアクセス可能である任意の使用可能な媒体であってよい。使用可能な媒体は、磁気媒体（例えば、ソフトディスク、ハードディスク、または磁気テープ）であってもよいし、光媒体（たとえば、ＤＶＤ）であってもよいし、半導体媒体であってもよい。半導体媒体は、ソリッドステートドライブであってよい。
【０３２７】
本明細書における「および／または」という用語は、記載の関連の物体のための関連づけ関係のみについて説明し、３つの関係が存在し得ることを表すことが理解されるべきである。例えば、Ａおよび／またはＢは、以下の３つの場合、すなわち、Ａのみが存在する、ＡとＢの両方が存在する、およびＢのみが存在する、を表し得る。さらに、本明細書における「／」という文字は、一般に、関連づけられた物体間の「または」関係を示す。
【０３２８】
前述のプロセスのシーケンス番号は、本出願のさまざまな実施形態における実行シーケンスを意味しないことが理解されるべきである。プロセスの実行シーケンスは、プロセスの機能および内部論理に応じて決定されるべきであり、本出願の実施形態の実装プロセスに対する限定と解釈されるべきでない。
【０３２９】
当業者は、本明細書に開示されている実施形態において説明される例と組み合わせて、ユニットおよびアルゴリズムステップが電子ハードウェアまたはコンピュータソフトウェアと電子ハードウェアの組み合わせによって実施され得ることを、認識し得る。機能がハードウェアによって実施されるかソフトウェアによって実施されるかは、特定の適用例および技術的解決策の設計制約条件に依存する。当業者は、異なる方法を使用して、各特定の適用例のために説明された機能を実施してよいが、実装が本出願の範囲を越えると考えられるべきでない。前述のシステム、装置、およびユニットの詳細な作業プロセスに関する好都合で簡潔な説明の目的で、前述の方法実施形態における対応するプロセスへの参照がなされることがあり、詳細は本明細書では再度説明されないことは、当業者によって明確に理解され得る。本出願において提供されるいくつかの実施形態では、開示されるシステム、装置、および方法は他の方式で実施されてもよいことが理解されるべきである。例えば、説明された装置実施形態は例にすぎない。例えば、ユニット分割は、論理的機能分割にすぎず、実際の実装では別の分割であってもよい。例えば、複数のユニットまたは構成要素は、別のシステムへと組み合わされたり統合されたりしてもよいし、いくつかの特徴は、無視されてもよいし、実施されなくてもよい。さらに、表示されたまたは論じられた相互結合または直接的な結合もしくは通信接続は、いくつかのインターフェイスを使用することによって実施されることがある。装置またはユニット間の間接的な結合または通信接続は、電気的な形で実施されてもよいし、機械的な形で実施されてもよいし、他の形で実施されてもよい。
【０３３０】
別個の部分として説明されたユニットは、物理的に別個であってもよいし、物理的に別個でなくてもよく、ユニットとして表示された部分は、物理ユニットであってもよいし、物理ユニットでなくてもよく、１つの位置に置かれてもよいし、複数のネットワークユニット上に分散されてもよい。ユニットのうちのいくつかまたはすべては、実施形態の解決策の目的を達成するために、実際の要件に基づいて選択されてよい。さらに、本出願の実施形態における機能ユニットは１つの処理ユニットへと統合されてもよく、または、ユニットの各々が物理的に単独で存在してもよいし、２つ以上のユニットが１つのユニットへと統合される。機能がソフトウェア機能ユニットの形で実装され、独立した製品として販売または使用されるとき、機能は、コンピュータ可読記憶媒体内に記憶されることがある。そのような理解に基づいて、本出願の技術的解決策は本質的に、または従来技術に寄与する部分、または技術的解決策のうちのいくつかは、ソフトウェア製品の形で実施されることがある。コンピュータソフトウェア製品は、記憶媒体内に記憶され、本出願の実施形態において説明される方法のステップのすべてまたはいくつかを実施するようにコンピュータデバイス（パーソナルコンピュータであってもよいし、サーバであってもよいし、ネットワークデバイスであってもよい）に示すためのいくつかの命令を含む。前述の記憶媒体は、ＵＳＢフラッシュドライブ、リムーバブルハードディスク、読み出し専用メモリ（ＲＯＭ）、ランダムアクセスメモリ（ＲＡＭ）、磁気ディスク、または光ディスクなどの、プログラムコードを記憶することができる任意の媒体を含む。
【０３３１】
前述の説明は、本出願の特定の実装にすぎないが、本出願の保護範囲を限定することを意図したものではない。本出願に開示されている技術範囲内の、当業者によって容易に考案されるいかなる変形または置き換えも、本出願の保護範囲に含まれるものとする。したがって、本出願の保護範囲は、特許請求の範囲の保護範囲に従うものとする。
【図１】
0006892554.tif 000002
【図２】
0006892554.tif 000003
【図３】
0006892554.tif 000004
【図４】
0006892554.tif 000005
【図５】
0006892554.tif 000006
【図６】
0006892554.tif 000007
【図７】
0006892554.tif 000008
【図８】
0006892554.tif 000009
【図９】
0006892554.tif 000010
【図１０】
0006892554.tif 000011
【図１１】
0006892554.tif 000012
【図１２】
0006892554.tif 000013
【図１３】
0006892554.tif 000014
【図１４】
0006892554.tif 000015
【図１５】
0006892554.tif 000016
【図１６】
0006892554.tif 000017
【図１７】
0006892554.tif 000018
【図１８】
0006892554.tif 000019
【図１９】
0006892554.tif 000020
【図２０】
0006892554.tif 000021